(57)【特許請求の範囲】
【請求項１】
電源から供給される電力により点灯する光源の点灯装置であり、
上記電源から電力が供給される供給状態が継続した期間と上記電源から電力が供給されない停止状態が継続した期間との少なくともいずれかの期間を計測する電源計測部と、
上記電源計測部が計測した期間が所定の期間より短いか否かを判定する期間判定部と、
上記電源計測部が計測した期間が所定の期間より短いと上記期間判定部が判定した回数をカウントするカウント部と、
上記カウント部がカウントした回数が第１の回数である場合、上記光源の調光レベルを変更する点灯回路制御部であって、上記光源の調光レベルを変更する場合、所定の調光レベルと変更後の調光レベルとの明るさの差がαであるとき、上記所定の調光レベルと明るさの差が少なくとも２α以上ある調光レベルと上記所定の調光レベルとに交互に、上記光源の調光レベルを複数回変更した後、上記光源の調光レベルを上記変更後の調光レベルに変更する点灯回路制御部と
を備えることを特徴とする点灯装置。
【請求項２】
電源から供給される電力により点灯する光源の点灯装置であり、
上記電源から電力が供給される供給状態が継続した期間と上記電源から電力が供給されない停止状態が継続した期間との少なくともいずれかの期間を計測する電源計測部と、
上記電源計測部が計測した期間が所定の期間より短いか否かを判定する期間判定部と、
上記電源計測部が計測した期間が所定の期間より短いと上記期間判定部が判定した回数をカウントするカウント部と、
上記カウント部がカウントした回数が第１の回数である場合、上記光源の調光レベルを変更する点灯回路制御部であって、上記光源の調光レベルが少なくとも最高出力の５０％以上の調光レベルまでしか変更されない場合において、上記光源の調光レベルを変更する場合、最高出力の５０％以下の出力と所定の調光レベルとに交互に、上記光源の調光レベルを複数回変更した後、上記光源の調光レベルを変更する点灯回路制御部と
を備えることを特徴とする点灯装置。
【請求項３】
電源から供給される電力により点灯する光源の点灯装置であり、
上記電源から電力が供給される供給状態が継続した期間と上記電源から電力が供給されない停止状態が継続した期間との少なくともいずれかの期間を計測する電源計測部と、
上記電源計測部が計測した期間が所定の期間より短いか否かを判定する期間判定部と、
上記電源計測部が計測した期間が所定の期間より短いと上記期間判定部が判定した回数をカウントするカウント部と、
上記カウント部がカウントした回数が第１の回数である場合、上記光源の調光レベルを変更し、上記カウント部がカウントした回数が第２の回数である場合、初期値に上記光源の調光レベルを変更する点灯回路制御部であって、初期値の調光レベルに上記光源の調光レベルを変更する場合、所定の調光レベルよりも明るい調光レベルと上記所定の調光レベルよりも暗い調光レベルとに交互に、複数回数繰り返して上記光源の調光レベルを変更した後、初期値の調光レベルに上記光源の調光レベルを変更する点灯回路制御部と
を備えることを特徴とする点灯装置。
【請求項４】
電源から供給される電力により点灯する光源の点灯装置であり、
上記電源から電力が供給される供給状態が継続した期間と上記電源から電力が供給されない停止状態が継続した期間との少なくともいずれかの期間を計測する電源計測部と、
上記電源計測部が計測した期間が所定の期間より短いか否かを判定する期間判定部と、
上記電源計測部が計測した期間が所定の期間より短いと上記期間判定部が判定した回数をカウントするカウント部と、
上記カウント部がカウントした回数が第１の回数である場合、上記光源の調光レベルを変更後の調光レベルよりも暗い調光レベル又は変更後の調光レベルよりも明るい調光レベルから変更後の調光レベルまで上記光源の調光レベルを段階的に変更する点灯回路制御部であって、初期値の調光レベルに上記光源の調光レベルを変更する場合、所定の調光レベルよりも明るい調光レベルと上記所定の調光レベルよりも暗い調光レベルとに交互に、複数回数繰り返して上記光源の調光レベルを変更した後、初期値の調光レベルに上記光源の調光レベルを変更する点灯回路制御部と
を備えることを特徴とする点灯装置。
【請求項５】
電源から供給される電力により点灯する光源の点灯装置であり、
上記電源から電力が供給される供給状態が継続した期間と上記電源から電力が供給されない停止状態が継続した期間との少なくともいずれかの期間を計測する電源計測部と、
上記電源計測部が計測した期間が所定の期間より短いか否かを判定する期間判定部と、
上記電源計測部が計測した期間が所定の期間より短いと上記期間判定部が判定した回数をカウントするカウント部と、
上記カウント部がカウントした回数が第１の回数である場合、上記光源の調光レベルを暫定的に変更するとともに、上記電源計測部が計測した期間が所定の期間より短くないと上記期間判定部が判定した場合に、上記光源の調光レベルの変更を確定する点灯回路制御部と
を備えることを特徴とする点灯装置。
【請求項６】
電源から供給される電力により点灯する光源の点灯装置であり、
上記電源から電力が供給される供給状態が継続した期間と上記電源から電力が供給されない停止状態が継続した期間との少なくともいずれかの期間を計測する電源計測部と、
上記電源計測部が計測した期間が所定の期間より短いか否かを判定する期間判定部と、
上記電源計測部が計測した期間が所定の期間より短いと上記期間判定部が判定した回数をカウントするカウント部と、
上記カウント部がカウントした回数が第１の回数である場合、第１の調光レベルから第２の調光レベルへ明るくなるように又は暗くなるように上記光源の調光レベルを段階的に変更して、所定の入力があった場合に上記光源の調光レベルの変更を停止する点灯回路制御部と
を備えることを特徴とする点灯装置。
【請求項７】
電源から供給される電力により点灯する光源の点灯装置であり、
上記電源から電力が供給される供給状態が継続した期間と上記電源から電力が供給されない停止状態が継続した期間との少なくともいずれかの期間を計測する電源計測部と、
上記電源計測部が計測した期間が所定の期間より短いか否かを判定する期間判定部と、
上記電源計測部が計測した期間が所定の期間より短いと上記期間判定部が判定した回数をカウントするカウント部と、
上記光源の点灯積算時間をカウントする点灯積算時間カウント部と、
上記光源の点灯積算時間に対して上記光源の調光レベルの値を記憶する制御値記憶部と、
上記カウント部がカウントした回数が第１の回数である場合、上記光源の調光レベルを変更する点灯回路制御部であって、上記点灯積算時間カウント部がカウントした点灯積算時間に対して上記制御値記憶部が記憶した調光レベルの値に基づき上記光源の調光レベルを制御する計時制御モードと、点灯積算時間に関わらず定められた設定値に上記光源の調光レベルを制御する設定値モードとのモードの切替をして、上記光源の調光レベルを変更する点灯回路制御部と
を備えることを特徴とする点灯装置。
【請求項８】
電源から供給される電力により点灯する光源の点灯装置であり、
上記電源から電力が供給される供給状態が継続した期間と上記電源から電力が供給されない停止状態が継続した期間との少なくともいずれかの期間を計測する電源計測部と、
上記電源計測部が計測した期間が所定の期間より短いか否かを判定する期間判定部と、
上記電源計測部が計測した期間が所定の期間より短いと上記期間判定部が判定した回数をカウントするカウント部と、
上記光源の点灯積算時間をカウントする点灯積算時間カウント部と、
上記光源の点灯積算時間に対して第１のモードの調光レベルの値と第２のモードの調光レベルの値とを記憶する制御値記憶部と、
上記カウント部がカウントした回数が第１の回数である場合、上記光源の調光レベルを変更する点灯回路制御部であって、上記カウント部がカウントした回数が第１の回数である場合、上記点灯積算時間カウント部がカウントした点灯積算時間に対して上記制御値記憶部が記憶した調光レベルの値であって、現在のモードとは異なるモードの調光レベルの値に上記光源の調光レベルを変更する点灯回路制御部と
を備えることを特徴とする点灯装置。
【請求項９】
上記カウント部は、上記電源計測部が計測した期間が所定の期間より短くないと上記期間判定部が判定した場合、カウントした回数をリセットする
ことを特徴とする請求項１から８までのいずれかに記載の点灯装置。
【請求項１０】
上記電源計測部は、上記電源から電力が供給される供給状態が継続した期間と上記電源から電力が供給されない停止状態が継続した期間との両方を計測し、
上記期間判定部は、上記電源から電力が供給される供給状態が継続した期間が第１の期間よりも短いか否かを判定するとともに、上記電源計測部が計測した停止状態が継続した期間が第２の期間より短いか否かを判定し、
上記カウント部は、停止状態が継続した期間が上記第２の期間より短いと上記期間判定部が判定した回数をカウントするとともに、供給状態が継続した期間が上記第１の期間より短くないと上記期間判定部が判定した場合又は停止状態が継続した期間が上記第２の期間より短くないと上記期間判定部が判定した場合、カウントした回数をリセットする
ことを特徴とする請求項１から９までのいずれかに記載の点灯装置。
【請求項１１】
上記点灯装置は、さらに、
上記光源の調光レベルとしてとり得る値を設定値として記憶する設定値記憶部と、
現在の上記光源の調光レベルである現在値を記憶する調光レベル記憶部とを備え、
上記点灯回路制御部は、上記カウント部がカウントした回数が第１の回数である場合、上記設定値記憶部が記憶した設定値の内、上記調光レベル記憶部が記憶した現在値の次に明るい調光レベルの値又は次に暗い調光レベルの値に上記光源の調光レベルを変更する
ことを特徴とする請求項１から３までと、請求項５とのいずれかに記載の点灯装置。
【請求項１２】
上記点灯装置は、さらに、
上記電源から電力が供給される間に電荷を充電するとともに、上記電源から電力が供給されない間に電荷を放電する電荷充電部を備え、
上記電源計測部は、上記電源から電力の供給が開始された時点において、上記電荷充電部に充電された電荷の残留量により、上記停止状態が継続した期間を計測する
ことを特徴とする請求項１０又は１１に記載の点灯装置。
【請求項１３】
上記点灯回路制御部は、所定の調光レベルよりも、上記設定値記憶部が記憶した設定値でｎ段階明るい調光レベル又はｎ段階暗い調光レベルに上記光源の調光レベルを変更する場合、変更される調光レベルに対応する特定音を鳴らす
ことを特徴とする請求項１１に記載の点灯装置。
【請求項１４】
上記点灯回路制御部は、上記特定音として、所定の音をｎ回鳴らす
ことを特徴とする請求項１３に記載の点灯装置。
【請求項１５】
上記設定値記憶部は、上記光源の調光レベルの初期値を記憶し、
上記点灯回路制御部は、上記カウント部がカウントした回数が第２の回数である場合、上記所定の音とは異なる音を鳴らすとともに、上記設定値記憶部が記憶した初期値に上記光源の調光レベルを変更する
ことを特徴とする請求項１３又は１４に記載の点灯装置。
【請求項１６】
上記点灯回路制御部は、第１の調光レベルから第２の調光レベルへ上記光源の調光レベルを段階的に変更する動作を所定の回数繰り返し、上記動作を所定の回数繰り返す間に上記所定の入力がない場合には、調光レベルの変更を行わず変更前の調光レベルのままとす
る
ことを特徴とする請求項６に記載の点灯装置。
【請求項１７】
上記点灯回路制御部は、上記光源の調光レベルを第１の段階の調光レベルから第２の段階の調光レベルへ変更した後、所定の期間内に上記所定の入力があった場合、第１の段階の調光レベルに上記光源の調光レベルを変更して、調光レベルの変更を停止する
ことを特徴とする請求項６又は１６に記載の点灯装置。
【請求項１８】
上記点灯装置は、さらに、
上記カウント部がカウントした回数を不揮発性メモリに記憶するカウント記憶部
を備えることを特徴とする請求項１から１７までのいずれかに記載の点灯装置。
【請求項１９】
上記点灯装置は、さらに、
上記設定値モードにおいて、上記光源の調光レベルとしてとり得る値を設定値として所定の順に記憶する設定値記憶部とを備え、
上記点灯回路制御部は、上記カウント部がカウントした回数が第１の回数である場合、現在のモードが上記計時制御モードであれば上記設定値モードに切替し、現在のモードが上記設定値モードであれば、現在の調光レベルの値の次に上記設定値記憶部が設定値として記憶した調光レベルの値に上記光源の調光レベルを変更するとともに、現在の調光レベルの値の次に設定値として記憶した調光レベルの値がない場合には上記計時制御モードに切替する
ことを特徴とする請求項７に記載の点灯装置。
【請求項２０】
上記点灯積算時間カウント部は、上記計時制御モードで上記光源を点灯させている場合のみ上記光源の点灯積算時間をカウントする
ことを特徴とする請求項７又は１９に記載の点灯装置。
【請求項２１】
上記点灯回路制御部は、上記カウント部がカウントした回数が第３の回数である場合、上記点灯積算時間を初期化する
ことを特徴とする請求項７，８，１９，２０のいずれかに記載の点灯装置。
【請求項２２】
電源から供給される電力により点灯する光源の点灯装置であり、
上記電源から上記光源へ電力が供給される間に電荷を充電するとともに、上記電源から電力が供給されない間に電荷を放電する電荷充電部と、
上記電源から電力の供給が開始された時点において、上記電荷充電部に充電された電荷の残留量により、上記電源から電力が供給されない停止状態が継続した期間を計測する電源計測部と、
上記電源計測部が計測した期間の長さに基づき、上記光源の調光レベルを変更する点灯回路制御部と
を備え、
上記電荷充電部は、
上記電源から上記光源へ電力が供給される間に電荷を充電する第１のコンデンサと、
上記第１のコンデンサに充電された電荷を消費する抵抗と、
スイッチを介して上記第１のコンデンサと接続された第２のコンデンサと、
上記スイッチに接続され、放電信号が入力されると、上記放電信号により上記スイッチのオンオフを制御する放電信号出力端子と、
上記第１のコンデンサに接続され、電荷が入力されると、上記電荷を上記第１のコンデンサへ充電する充電出力端子と、
上記第１のコンデンサと上記第２のコンデンサとの間に接続され、上記第１のコンデンサから上記第２のコンデンサへ移動する電荷を検出する充電電荷検出端子とを備え、
上記点灯装置は、さらに、
上記電源から上記光源へ電力が供給されると、上記放電信号出力端子へ放電信号を入力して上記スイッチを制御し、上記第１のコンデンサに充電された電荷を第２のコンデンサへ移動させるとともに、上記第１のコンデンサに充電された電荷が第２のコンデンサへ移動すると、上記充電出力端子へ電荷を入力して上記第１のコンデンサに電荷を充電させる電荷制御部を備え、
上記電源計測部は、上記電荷制御部が上記放電信号出力端子へ放電信号を入力した際、上記第１のコンデンサから上記第２のコンデンサへ移動する電荷を上記充電電荷検出端子から検出することにより、上記第１のコンデンサに充電された電荷の残留量を計測して、上記停止状態が継続した期間を計測する
ことを特徴とする点灯装置。
【請求項２３】
上記充電出力端子と充電電荷検出端子とが同一の端子である
ことを特徴とする請求項２２に記載の点灯装置。
【請求項２４】
請求項１から２３までのいずれかに記載の点灯装置が点灯させる光源の調光レベルを表示する点灯状態表示装置であり、
上記点灯回路制御部による上記光源の調光レベルの変更と同期して表示を変更する表示部を
備えることを特徴とする点灯状態表示装置。
【請求項２５】
上記点灯状態表示装置は、上記電源に上記点灯装置と並列に接続され、
上記点灯状態表示装置は、さらに、
上記電源から電力が供給される供給状態が継続した期間と上記電源から電力が供給され
ない停止状態が継続した期間との少なくともいずれかの期間を計測する第２の電源計測部と、
上記第２の電源計測部が計測した期間が所定の期間より短いか否かを判定する第２の期間判定部と、
上記第２の電源計測部が計測した期間が所定の期間より短いと上記期間判定部が判定した回数をカウントする第２のカウント部と、
上記第２のカウント部がカウントした回数が第１の回数である場合、上記点灯回路制御部により変更される光源の調光レベルと同一の調光レベルを表示レベルとして設定する表示制御部とを備え、
上記表示部は、上記表示制御部が設定した表示レベルに基づき表示を変更する
ことを特徴とする請求項２４記載の点灯状態表示装置。
【請求項２６】
上記点灯状態表示装置は、上記点灯装置に接続され、
上記表示部は、上記点灯装置から上記光源の調光レベルの変更を示す情報を得て、上記点灯回路制御部による上記光源の調光レベルの変更と同期して表示を変更する
ことを特徴とする請求項２４に記載の点灯状態表示装置。
【請求項２７】
上記点灯状態表示装置は、さらに、
上記光源の調光レベルを表示レベルとして記憶するとともに、上記光源の調光レベルが変更されるごとに変更後の調光レベルを表示レベルとして既に記憶された表示レベルに上書きして記憶する表示レベル記憶部を備え、
上記表示部は、上記表示レベル記憶部が記憶した表示レベルに基づき表示する
ことを特徴とする請求項２４から２６までのいずれかに記載の点灯状態表示装置。
【請求項２８】
上記表示部は、発光体を有し、上記電源から電流が供給されない場合と、上記光源の調光レベルが最も明るい調光レベルである場合の少なくともいずれかの場合には、発光体を発光しない
ことを特徴とする請求項２４から２７までのいずれかに記載の点灯状態表示装置。
【請求項２９】
上記表示部は、複数の発光体を有し、上記発光体のうち、いずれか１つの発光体を発光する
ことを特徴とする請求項２４から２８までのいずれかに記載の点灯状態表示装置。
【請求項３０】
上記表示部は、略直線上に配置された複数の発光体を有し、上記光源の調光レベルの変更に応じて発光する発光体の数を変更する
ことを特徴とする請求項２４から２９までのいずれかに記載の点灯状態表示装置。
【請求項３１】
上記点灯状態表示装置は、上記点灯装置へ上記電源から電力を供給するか否かを切り替えるスイッチが収納されたスイッチボックスに収納される
ことを特徴とする請求項２４から３０までのいずれかに記載の点灯状態表示装置。
【請求項３２】
上記点灯状態表示装置は、さらに、
上記電源に対して上記点灯装置と並列接続するコンセントと接続可能なプラグ
を備えることを特徴とする請求項２４から３１までのいずれかに記載の点灯状態表示装置。
【請求項３３】
上記点灯状態表示装置は、さらに、
上記電源から電流が入力されるとともに、入力された上記電流を上記点灯装置に分配する電源端子台
を備えることを特徴とする請求項２４から３２までのいずれかに記載の点灯状態表示装置。
【請求項３４】
請求項１から請求項２３までのいずれかに記載の点灯装置と、請求項２４から請求項３３までのいずれかに記載の点灯状態表示装置との少なくともいずれかを備えることを特徴とする照明器具。
【発明の詳細な説明】
【技術分野】
【０００１】
本発明は、光源の明るさを調節する点灯装置、この点灯装置を備える照明器具及び複数の照明器具を備える照明システムに関する。
【背景技術】
【０００２】
近年の省エネへの取り組みは、各業界で様々な形態で行われている。
照明装置に至っては、施設に必ず設置され、かつ、施設で使用している電力の大半を消費する。省エネ効果を上げるためには、照明装置の照度を適切に設定することが望ましい。
そこで、照明器具の照度を変更する技術の研究がされている。
【０００３】
特許文献１には、電源オン時の点灯モードを予めセットできるモードセット手段と、モードセット手段のセット状態を保持するバックアップ用電源を設けた照明器具についての記載がある。
特許文献２には、スイッチの入力に従い、蛍光灯と補助灯との同時点灯、蛍光灯のみの点灯、補助灯のみの点灯、消灯とが切り替わる照明器具についての記載がある。
【特許文献１】特開平３−１７９９８号公報
【特許文献２】特開平３−２６９９９６号公報
【発明の開示】
【発明が解決しようとする課題】
【０００４】
照明器具の適切な照度を得るために、時間の経過とともに照度を変更する連続調光機能を持った照明器具が用いられることがある。
しかし、連続調光機能を有した照明器具はこの連続調光機能を制御するためのコントローラと組み合わせる必要があるため、照明システムを構築する大掛かりな設置工事が必要であり、コストアップの原因となっている。
【０００５】
住宅用照明器具においては、特許文献２に記載があるように壁に備えられている電源スイッチの操作によって蛍光灯と補助灯との同時点灯、蛍光灯のみの点灯、補助灯のみの点灯、消灯とが切り替わる照明器具がある。
しかし、ビル設備等に用いられる施設用照明器具は、１つの電源スイッチに対して複数の照明器具が接続される。そのため、照明器具毎の設定タイミングの違いによって照明器具ごとに調光度が異なってしまう恐れなどがある。
また、ビル設備等においては瞬時停電やサグ等の電源変動が発生する。上記技術では、１度の瞬時停電やサグ等により照明器具全ての調光が切り替えられてしまう恐れある。
【課題を解決するための手段】
【０００６】
本発明に係る点灯装置は、電源から供給される電力により点灯する光源の点灯装置であり、上記電源から電力が供給される供給状態が継続した期間と上記電源から電力が供給されない停止状態が継続した期間との少なくともいずれかの期間を計測する電源計測部と、上記電源計測部が計測した期間が所定の期間より短いか否かを判定する期間判定部と、上記電源計測部が計測した期間が所定の期間より短いと上記期間判定部が判定した回数をカウントするカウント部と、上記カウント部がカウントした回数が第１の回数である場合、上記光源の調光レベルを変更する点灯回路制御部とを備えることを特徴とする。
【発明の効果】
【０００７】
本発明に係る点灯装置によれば、コストを抑えつつ適切な照度の設定ができるとともに、瞬時停電等によって調光の設定値が変更されることを防止することができる。
【発明を実施するための最良の形態】
【０００８】
実施の形態１．
この実施の形態では、電源スイッチのオンとオフとが連続して数回行われた場合に、光源の調光レベルを変更する点灯装置を備える照明システムについて説明する。
【０００９】
図１は照明システムの全体図である。
照明システムは、複数の照明器具２０と、スイッチボックス２４とを備える。
各照明器具２０は、器具本体２１と反射板２２とを備える。
器具本体２１には点灯装置が取り付けられている。また、器具本体２１の長手方向両端部には点灯装置からの出力が電線を介して接続され、光源である放電灯２３に電力を供給するランプソケットが取り付けられている。
図１では、器具本体２１のランプソケットには、放電灯２３が取り付けられている。
スイッチボックス２４は、第１の電源スイッチ２５と第２の電源スイッチ２６とを備える。第１の電源スイッチ２５は、各照明器具２０との接続を制御する。第２の電源スイッチ２６は、商用電源（交流電源，ＡＣ）との接続を制御する。以下の説明において、第１の電源スイッチ２５と第２の電源スイッチ２６とは単に電源スイッチと呼ぶ。
【００１０】
照明システムは、電源スイッチの操作（オンとオフ）による商用電源の有無を検出して調光度を変更する点灯装置を備えている。
【００１１】
図２はこの実施の形態に係る点灯装置の内部構成図である。
点灯装置は、電源整流回路１、アクティブフィルタ回路２、インバータ回路３、負荷回路４、ドライブ回路５、マイクロコンピュータ６（カウント部、点灯回路制御部）、商用電源検出回路７、電力供給時間検出部８（電源計測部、期間判定部）、電力供給一時停止検出部９（電源計測部、期間判定部）、記憶部１０（設定値記憶部、調光レベル記憶部、カウント記憶部）、制御回路用電源１１を備える。
電源整流回路１は、電源電圧の整流、及び、ノイズの除去を行う回路である。
アクティブフィルタ回路２は、電源電圧波形に沿ってスイッチングを行うことにより、電源電圧を所定の直流電圧に昇圧すると共に入力電流波形を整形して力率を改善する回路である。
インバータ回路３は、アクティブフィルタ回路２で昇圧された直流電圧を、ドライブ回路５から出力される逆極性の電圧でＦＥＴＱ２、Ｑ３を交互にスイッチングすることにより、高周波電圧を発生させる回路である。また、インバータ回路３には点灯回路制御部（点灯制御回路）が接続され、放電灯を全光及び段調光の点灯制御することができる。ここでは、点灯回路制御部として、後述するマイクロコンピュータ６を使用する。
負荷回路４は、インダクタＬ２、コンデンサＣ３の共振を利用して、放電灯ＬＡを点灯させる回路である。
ドライブ回路５は、インバータ回路３を駆動させる回路である。
マイクロコンピュータ６は、放電灯ＬＡの調光レベル等を制御する。
商用電源検出回路７は、商用電源のＯＮ及びＯＦＦ状態を検出する回路である。
電力供給時間検出部８は、商用電源の供給時間を検出する回路である。
電力供給一時停止検出部９は、商用電源の供給の一時停止を検出する回路である。
記憶部１０は、不揮発性メモリであり、点灯モード（放電灯が調光レベルとしてとり得る値）等を記憶する。
【００１２】
点灯装置の動作を簡単に説明する。
外部から壁などに備えられる電源スイッチＳＷを介して接続される電源線が照明器具２０に挿入され、点灯装置に商用電源ＡＣが供給される。電源整流回路１は、供給された商用電源を直流電圧に変換する。アクティブフィルタ回路２は、変換された直流電圧を昇圧した直流電圧に変換して、コンデンサＣ１に充電する。インバータ回路３は、コンデンサＣ１に充電された直流電圧を、ＦＥＴＱ２、Ｑ３のスイッチング動作によって、高周波の交流電力に変換する。また、ドライブ回路５は、インバータ回路３のスイッチング動作を制御している。負荷回路４は、インバータ回路３が変換した高周波の交流電力をインダクタＬ２、カップリングコンデンサＣ３の回路によって放電灯に電力を供給する。
ここでインダクタＬ２は放電灯ＬＡに流れる電流を制御するものであり、カップリングコンデンサＣ３はインダクタＬ２、放電灯ＬＡに流れ込む直流成分をカットするためのものである。また、放電灯ＬＡに並列に接続される始動用コンデンサＣ２は、インダクタＬ２との共振により放電灯ＬＡを点灯させるときに高い電圧を発生させるためのものである。
また、点灯装置は、電源整流回路１の出力側に電力供給時間検出部８、電力供給一時停止検出部９を備えている。電力供給時間検出部８、電力供給一時停止検出部９は、商用電源からの電流の供給の有無を検出するとともに、それぞれ電流の供給が継続した期間と電流の供給の停止が継続した期間とを計測し、マイクロコンピュータ６へ出力している。
マイクロコンピュータ６は、制御回路用電源１１の電力により動作をしている。マイクロコンピュータ６は、記憶部１０に記憶されている情報と、電力供給時間検出部８、電力供給一時停止検出部９から出力された情報（信号）とに基づいて、ドライブ回路５へインバータ回路３の出力を制御するための信号を出力する。
【００１３】
図３から図５までは、点灯装置の動作を示すフローチャートである。
図３は、点灯装置の動作の概略を示すフローチャートである。点灯装置は、商用電源オン時の処理と商用電源オフ時の処理とを繰り返し行う。
【００１４】
まず、点灯装置の動作の概略を説明する。
壁などに備えられる電源スイッチをオン／オフ操作をすると、点灯装置に商用電源から電力が供給／停止される。電源スイッチのオン／オフ操作を連続して所定の回数行うことで、商用電源からの電力供給の状態を電力供給時間検出部８と電力供給一時停止検出部９とが検出してマイクロコンピュータ６へ電力供給状況を識別する信号を出力する。その結果に基づき、マイクロコンピュータ６は、光源（ここでは、放電灯）の調光レベルを変更する。
なお、電源スイッチのオン／オフ操作を連続して行うとは、電源スイッチのオンの時間と、オフの時間とが所定の時間以内で切り替えされることである。つまり、電源スイッチのオン又はオフの状態が所定の時間以上継続した場合、電源スイッチのオン／オフ操作が連続して行われたとは言わない。
以下の説明では、電源スイッチのオン／オフ操作が連続して３回（第１の回数）行われた場合、放電灯の調光レベルを変更する。ここで、オン／オフ操作のカウントのされ方は、オン状態から始まり電源スイッチがオフされ、さらにオンされると１カウントされる。つまり、オン状態から始まり、オフ−オン（１回）−オフ−オン（２回）−オフ−オン（３回）と数える。また、電源スイッチのオンからオフへ１０秒（第１の期間）以内に切り替えされ、オフからオンへ３秒（第２の期間）以内に切り替えされた場合には連続して電源スイッチのオン／オフ操作が行われているものとする。
【００１５】
次に、図４に基づき、商用電源オン時の処理について説明する。図４は、商用電源オン時の点灯装置の動作を示すフローチャートである。
（Ｓ１）：壁に備えられる電源スイッチがオンになると、点灯装置に電力が供給される。そして、マイクロコンピュータ６（点灯回路制御部）は記憶部１０から点灯モードＳＨを読み込む。点灯モードＳＨとは、放電灯の調光レベルを示す情報である。
（Ｓ２）：点灯装置は、図２に基づき説明した動作により放電灯へ電力を供給し、放電灯のフィラメントを予熱してから始動電圧を印加して放電灯を点灯させる。この際、マイ
クロコンピュータ６は、読み込んだ点灯モードＳＨに基づいて、放電灯に供給する電力を制御する。
（Ｓ３）：電力供給時間検出部８（電源計測部）は、電力供給時間Ｔｏｎ（電源から電力が供給される供給状態が継続した期間）の値を初期化する。
（Ｓ４）：電力供給時間検出部８（電源計測部）は、電力供給時間Ｔｏｎのカウントを開始する。
（Ｓ５）：マイクロコンピュータ６（カウント部）は、後述する商用電源オフ時の処理で記憶部１０（カウント記憶部）が記憶した電力供給一時停止情報Ｆを読み出す。
（Ｓ６）：マイクロコンピュータ６（カウント部）は、（Ｓ５）で読み出した電力供給一時停止情報Ｆが電力供給一時停止を示す信号であるか否かを判定する。電力供給一時停止を示す信号であると判定した場合（Ｓ６でＹｅｓ）、（Ｓ７）へ進む。一方、電力供給一時停止を示す信号でないと判定した場合（Ｓ６でＮｏ）、（Ｓ１５）へ進む。
（Ｓ７）：マイクロコンピュータ６（カウント部）は、電力供給一時停止検出回数Ｆｏｆｆに１カウント加算する。
（Ｓ８）：電力供給時間検出部８と電力供給一時停止検出部９とは、商用電源からの電力供給があるか否かを判定する。商用電源からの電力供給があると判定した場合（Ｓ８でＹｅｓ）、電力供給時間検出部８は（Ｓ９）へ進む。一方、商用電源からの電力供給がないと判定した場合（Ｓ８でＮｏ）、電力供給一時停止検出部９は（Ｓ１７）へ進む。
（Ｓ９）：電力供給時間検出部８（電源計測部）は、電力供給時間Ｔｏｎのカウントを継続する。
（Ｓ１０）：電力供給時間検出部８（期間判定部）は、電力供給時間Ｔｏｎ時間が１０秒（第１の期間）以上であるか否かを判定する。なお、（Ｓ１０）で判定する電力供給時間Ｔｏｎ時間を１０秒以上としたが、電力供給時間Ｔｏｎ時間は例えば１５秒以上等、任意に設定してよい。電力供給時間が１０秒以上と判定した場合（Ｓ１０でＹｅｓ）、電力供給時間検出部８（期間判定部）は（Ｓ１１）へ進む。一方、電力供給時間Ｔｏｎが１０秒に未満であると判定した場合（Ｓ１０でＮｏ）、電力供給時間検出部８（期間判定部）は電力供給時間Ｔｏｎのカウントを継続するため（Ｓ８）へ戻る。
（Ｓ１１）：マイクロコンピュータ６（カウント部）は、電力供給一時停止検出回数Ｆｏｆｆが３回（第１の回数）であるか判定する。なお、（Ｓ１１）で判定する電力供給一時停止検出回数Ｆｏｆｆを３回としたが、電力供給一時停止検出回数Ｆｏｆｆは２回であっても、３回より多くてもよい。電力供給一時停止検出回数Ｆｏｆｆが３回であると判定した場合（Ｓ１１でＹｅｓ）、マイクロコンピュータ６（カウント部）は（Ｓ１２）へ進む。一方、電力供給一時停止検出回数Ｆｏｆｆが３回でないと判定した場合（Ｓ１１でＮｏ）、マイクロコンピュータ６（カウント部）は（Ｓ１５）へ進む。
（Ｓ１２）：マイクロコンピュータ６（点灯回路制御部）は、点灯モードＳＨを順送り処理する。順送り処理とは、詳しくは後述するが、調光レベルを次に明るい又は暗いレベルに切り替える処理である。マイクロコンピュータ６（点灯回路制御部）は、例えば１００％点灯であったときは、７０％点灯に点灯モードＳＨを切り替える処理を行う。
（Ｓ１３）：マイクロコンピュータ６（カウント部）は、電力供給一時停止検出回数Ｆｏｆｆを０回に設定する。つまり、電力供給一時停止検出回数Ｆｏｆｆをリセットする。
（Ｓ１４）：マイクロコンピュータ６（点灯回路制御部）は、（Ｓ１２）で順送り処理を行い切り替えした点灯モードで、放電灯の点灯制御を開始する。つまり、放電灯の調光レベルを変更する。
（Ｓ１５）：マイクロコンピュータ６（カウント部）は、電力供給一時停止検出回数Ｆｏｆｆを０回とする。つまり、電力供給一時停止検出回数Ｆｏｆｆをリセットする。
（Ｓ１６）：マイクロコンピュータ６（点灯回路制御部）は、この時点で放電灯を点灯している点灯モードＳＨを継続する。つまり、マイクロコンピュータ６（点灯回路制御部）は、１００％点灯しているときは、点灯モードＳＨを変更することなく１００％での点灯を維持する。
（Ｓ１７）：電力供給一時停止検出部９は、商用電源ＯＦＦを検出する。
（Ｓ１８）：点灯装置は、商用電源ＯＦＦ時の処理へ移行する。
【００１６】
図５に基づき、商用電源オフ時の処理について説明する。図５は、商用電源オフ時の点灯装置の動作を示すフローチャートである。
商用電源がオフにされた場合、商用電源がオンの時に制御回路用電源１１に充電される電界コンデンサの残留電荷により一定時間電源がマイクロコンピュータ６等へ供給される。つまり、商用電源がオフされた場合であっても、マイクロコンピュータ６等の機能は一定時間動作することができる。
（Ｓ２１）：電力供給一時停止検出部９（電源計測部）は、商用電源がオフにされると、電力供給一時停止時間Ｔｏｆｆ（電源から電力が供給されない停止状態が継続した期間）を初期化する。
（Ｓ２２）：電力供給一時停止検出部９（電源計測部）は、電力供給一時停止時間Ｔｏｆｆの計測を開始する。
（Ｓ２３）：電力供給一時停止検出部９（電源計測部）は、電力供給一時停止時間Ｔｏｆｆのカウントを継続する。
（Ｓ２４）：電力供給一時停止検出部９（期間判定部）は、電力供給一時停止時間Ｔｏｆｆが３秒（第２の期間）を超えるか否かを判定する。なお、（Ｓ２４）で判定する電力供給一時停止時間Ｔｏｆｆを３秒を超えるとしたが、電力供給一時停止時間Ｔｏｆｆは例えば５秒を超える等、任意に設定してよい。電力供給一時停止時間Ｔｏｆｆが３秒を越えないと判定した場合（Ｓ２４でＮｏ）、電力供給一時停止検出部９（期間判定部）は（Ｓ２５）へ進む。一方、電力供給一時停止時間Ｔｏｆｆが３秒を超えると判定した場合（Ｓ２４でＹｅｓ）、電力供給一時停止検出部９（期間判定部）は（Ｓ２９）へ進む。
（Ｓ２５）：電力供給時間検出部８（電源計測部）と電力供給一時停止検出部９（電源計測部）とは、商用電源からの電力供給があるか否かを判定する。商用電源からの電力供給があると判定した場合（Ｓ２５でＹｅｓ）、電力供給時間検出部８（電源計測部）は（Ｓ２６）へ進む。一方、商用電源からの電力供給がないと判定した場合（Ｓ２５でＮｏ）、電力供給時間検出部８（電源計測部）は電力供給一時停止時間Ｔｏｆｆのカウントを継続するため、（Ｓ２３）へ戻る。
（Ｓ２６）：電力供給時間検出部８（電源計測部）は、商用電源がオンであると検出する。
（Ｓ２７）：マイクロコンピュータ６（カウント部）は、電力供給一時停止検出ありと判定する。そして、記憶部１０（カウント記憶部）は、電力供給一時停止検出情報に電力供給一時停止ありと記憶する。
（Ｓ２８）：点灯装置は、商用電源オン時の処理に移行する。
（Ｓ２９）：マイクロコンピュータ６（カウント部）は、電力供給一時停止検出なしと識別する。そして、記憶部１０（カウント記憶部）は、電力供給一時停止検出情報に電力供給一時停止なしを記憶する。
【００１７】
つまり、以上の処理をまとめると、電源スイッチがオフにされ点灯装置に電力が供給されなくなると、電力供給一時停止検出部９（電源計測部）は、この電力供給が停止している時間を計時する。そして、計時した時間が所定の時間（上記では３秒）以下である場合、電力供給一時停止であったことを示すフラグを記憶部１０（カウント記憶部）に記憶する。このとき、マイクロコンピュータ６や電力供給一時停止検出部９は電界コンデンサの残留電荷やバッテリなどの二次電池により動作している。
再び電源スイッチがオンにされると、マイクロコンピュータ６は記憶部１０（カウント記憶部）が記憶したフラグにより電力供給一時停止であったか否かを判定する。電力供給一時停止であった場合には、カウントに１加算する。そして、電力供給時間検出部８（電源計測部）は、電力供給がされている期間を計時する。計時した時間が所定の時間（上記では１０秒）を超えた場合には、カウントを初期化する。
さらに、計時した時間が所定の時間（上記では１０秒）以内に電源スイッチがオフにされ、また所定の時間（上記では３秒）以内に電源スイッチがオンにされるという動作が繰り返され、電力供給一時停止であったと所定の回数（上記では３回）連続して判定され、電力供給がされている時間が所定時間（上記では１０秒）経過すると、マイクロコンピュータ６（点灯回路制御部）は、新たな放電灯の点灯状態の設定情報を記憶部１０から取得する（順送り処理）。そして、記憶部１０（調光レベル記憶部）は、取得した設定情報を現在の設定情報として記憶する。また、マイクロコンピュータ６（点灯回路制御部）は、放電灯の明るさを変更するようにドライブ回路５へインバータ回路３の出力電力を変更する信号を出力する。
【００１８】
以上のように、商用電源のオン／オフ操作に応じて放電灯の点灯状態（調光レベル）をユーザーが任意に設定することができる。
また、商用電源のオン／オフ操作を所定の回数（複数回）行うときに、放電灯の点灯状態を変更するので、商用電源の瞬時停電などにより、不用意に放電灯の点灯状態を変更する恐れがない。
特に、１つの電源回路に複数の照明器具が接続されたり、他の大容量の電気設備などが設置されたりするオフィスビルなどでは商用電源の瞬時停電や電源サグなどが発生する可能性がある。しかし、このような場合であっても不用意に放電灯の点灯状態を変更する恐れがない。
また、電源スイッチのオン／オフ操作によって、放電灯の点灯状態を変更することができるので、照明器具を変更することなく、ユーザーの所望の明るさに設定することができる。また、照明器具に内蔵されている点灯装置のＤＩＰスイッチ等のスイッチの切り替えなど、頻雑な作業が不要となる。なお、ＤＩＰスイッチとは、基板上に設置されるスイッチのことである。
【００１９】
次に、順送り処理について説明する。順送り処理とは、上述したように調光レベルを次に明るい又は暗いレベルに切り替える処理である。
調光レベルとしてとり得る値（インバータ回路３の出力を決定する設定値）は、記憶部１０（設定値記憶部）が予め複数記憶している。記憶部１０（設定値記憶部）は、例えば、出力１００％、出力７０％、出力５０％の３つの設定値を記憶している。順送り処理では、記憶部１０（設定値記憶部）が記憶した設定値を順に１段階明るい又は暗いレベルに変更する。つまり、順送り処理では、記憶部１０（調光レベル記憶部）が記憶している現在設定されている調光レベルよりも１段階明るい又は暗いレベルに変更する。
図６（ａ）に示すように、記憶部１０（設定値記憶部）が記憶した設定値の中から明るくなる出力５０％−出力７０％−出力１００％の順に１段階ずつ調光レベルを変更する。最高出力の出力１００％の次には、最低出力の出力５０％とする。又は、図６（ｂ）に示すように記憶部１０（設定値記憶部）が記憶した設定値の中から暗くなる出力１００％−出力７０％−出力５０％の順に１段階ずつ調光レベルを変更する。
【００２０】
なお、上記説明では、順送り処理を行うのは、電力供給時間Ｔｏｎが１０秒を経過後（Ｔｏｎ≧１０秒）と（Ｓ１０）で判定され、電力供給一時停止検出回数Ｆｏｆｆが３回（Ｆｏｆｆ＝３回）と（Ｓ１１）で判定された後である。
しかし、電力供給時間Ｔｏｎが１０秒経過前に、電力供給一時停止検出回数Ｆｏｆｆが３回（Ｆｏｆｆ＝３回）と判定された場合には暫定的に調光レベルを変更して、放電灯を変更後の調光レベルで点灯させてもよい。そして、電力供給時間Ｔｏｎが１０秒を経過した後に、調光レベルの変更を確定させ、継続して変更後の調光レベルで放電灯を点灯させるとしてもよい。一方、暫定的に調光レベルを変更した後、電力供給時間Ｔｏｎが１０秒を経過する前に電源スイッチのオン／オフ操作が行われた場合には（電力供給一時停止検出回数Ｆｏｆｆが３回でなくなるため）、調光レベルを変更前の調光レベルに戻して放電灯を点灯させるとしてもよい。
つまり、例えば、（Ｓ５）の後に（Ｓ１１）と同様の処理（電力供給一時停止検出回数Ｆｏｆｆが３回（Ｆｏｆｆ＝３回）であるか否かを判定する処理）を行い、電力供給一時停止検出回数Ｆｏｆｆが３回であれば、暫定的に調光レベルを変更して、放電灯を変更後の調光レベルで点灯させるようにしてもよい。そして、（Ｓ１２）を暫定的に変更した調光レベルを確定する処理としてもよい。
以上により、調光レベルを変更した場合の放電灯の明るさを、変更を確定する前に確認することができる。そして、調光レベルの変更をキャンセルすることもできる。
【００２１】
また、上記説明では光源が放電灯の場合について説明したが、白熱電球や白色ＬＥＤなどの光源であってもよい。
【００２２】
また、上記説明では電源スイッチのオン／オフの操作が連続３回数で調光レベルの変更がされるとした。電源スイッチのオン／オフの操作回数を増加させるほど、瞬停、サグ等の電源変動による誤動作の問題が生じる確率が低下する。しかし、操作性を考慮すると、オン／オフの回数は２−３回程度が望ましい。また、電源スイッチのオン／オフの時間は何秒でも構わないが、操作性を考慮すると、３秒以内が望ましい。
【００２３】
実施の形態２．
実施の形態１に係る点灯装置は、電力供給時間と電力一時停止時間とを計測して設定値を切り替えた。この実施の形態に係る点灯装置は、電力一時停止時間を計測せず、電力供給時間を計測して設定値を切り替えるものである。
この実施の形態において、実施の形態１と同じ部分については、同一符号を付し、説明を省略する。
【００２４】
図７は、この実施の形態に係る点灯装置の内部構成図である。
図７に示す点灯装置は、図２に示す実施の形態１に係る点灯装置と比べ、電力供給一時停止検出部９を備えていない。これは、この実施の形態に係る点灯装置が電力一時停止時間を計測しないためである。
【００２５】
図８と図９とは、点灯装置の動作を示すフローチャートである。
この実施の形態に係る点灯装置は、実施の形態１に係る点灯装置と同様に、商用電源オン時の処理と商用電源オフ時の処理とを繰り返し行う。
【００２６】
図８に基づき、商用電源オン時の処理について説明する。図８は、商用電源オン時の点灯装置の動作を示すフローチャートである。
（Ｓ３１）：壁に備えられる電源スイッチがオンになると、点灯装置に電力が供給される。マイクロコンピュータ６（点灯回路制御部）は、記憶部１０から点灯モードＳＨを読み込む。
（Ｓ３２）：電力供給時間検出部８（電源計測部）は、電力供給時間Ｔｏｎを記憶部１０（カウント記憶部）から読み込む。
（Ｓ３３）：点灯装置は、上述した動作により放電灯へ電力を供給し、放電灯のフィラメントを予熱してから始動電圧を印加して放電灯を点灯させる。この際、マイクロコンピュータ６は、読み込んだ点灯モードＳＨに基づいて、放電灯に供給する電力を制御する。
（Ｓ３４）：電力供給時間検出部８（期間判定部）は、（Ｓ３２）で読み出した電力供給時間Ｔｏｎが０秒より長く、３秒以下であるか否かを判定する。電力供給時間Ｔｏｎが０秒より長く、３秒以下である（０秒＜Ｔｏｎ≦３秒）と判定した場合（Ｓ３４でＹｅｓ）、電力供給時間検出部８（期間判定部）は（Ｓ３５）へ進む。一方、電力供給時間Ｔｏｎが０秒である、又は３秒以下でない（Ｔｏｎ＝０又はＴｏｎ＞３）と判定した場合（Ｓ３４でＮｏ）、電力供給時間検出部８（期間判定部）は（Ｓ３６）へ進む。
（Ｓ３５）：マイクロコンピュータ６（カウント部）は、電力供給時間検出回数Ｆｏｎに１カウント加算する。
（Ｓ３６）：電力供給時間検出部８（電源計測部）は、電力供給時間Ｔｏｎを初期化する。
（Ｓ３７）：電力供給時間検出部８（電源計測部）は、電力供給時間Ｔｏｎのカウントを開始する。
（Ｓ３８）：電力供給時間検出部８は、商用電源からの電力供給があるか否かを判定する。電力供給があると判定した場合（Ｓ３８でＹｅｓ）、電力供給時間検出部８は（Ｓ３９）へ進む。一方、電力供給がないと判定した場合（Ｓ３８でＮｏ）、電力供給時間検出部８は（Ｓ４６）へ進む。
（Ｓ３９）：電力供給時間検出部８（電源計測部）は、電力供給時間Ｔｏｎのカウントを継続する。
（Ｓ４０）：電力供給時間検出部８（期間判定部）は、電力供給時間Ｔｏｎが１０秒以上であるか否かを判定する。電力供給時間Ｔｏｎが１０秒以上であると判定した場合（Ｓ４０でＹｅｓ）、電力供給時間検出部８（期間判定部）は（Ｓ４１）へ進む。一方、電力供給時間Ｔｏｎが１０秒（第１の期間）以上でないと判定した場合（Ｓ４０でＮｏ）、電力供給時間検出部８（期間判定部）は（Ｓ３８）へ戻る。
（Ｓ４１）：マイクロコンピュータ６（カウント部）は、短時間電力供給検出回数Ｋｏｎが３回（第１の回数）であるかを判定する。短時間電力供給検出回数Ｋｏｎが３回であると判定した場合（Ｓ４１でＹｅｓ）、マイクロコンピュータ６（カウント部）は（Ｓ４２）へ進む。一方、短時間電力供給検出回数Ｋｏｎが３回でないと判定した場合（Ｓ４１でＮｏ）、マイクロコンピュータ６（カウント部）は（Ｓ４８）へ進む。
（Ｓ４２）：マイクロコンピュータ６（点灯回路制御部）は、放電灯を点灯している状態（点灯モード）を順送り処理する。順送り処理は、実施の形態１で説明した処理と同様である。
（Ｓ４３）：電力供給時間検出部８（電源計測部）は、電力供給時間Ｔｏｎをリセットする。
（Ｓ４４）：マイクロコンピュータ６（カウント部）は、短時間電力供給検出回数Ｋｏｎをリセットする。
（Ｓ４５）：マイクロコンピュータ６（点灯回路制御部）は、（Ｓ４２）で順送り処理をした状態で放電灯を点灯する。
（Ｓ４６）：電力供給時間検出部８（電源計測部）は、商用電源ＯＦＦを検出する。
（Ｓ４７）：点灯装置は、商用電源ＯＦＦ時の処理へ移行（ステップ４７）する。
（Ｓ４８）：電力供給時間検出部８（電源計測部）は、電力供給時間Ｔｏｎをリセットする。
（Ｓ４９）：マイクロコンピュータ６（カウント部）は、短時間電力供給検出回数Ｋｏｎをリセットする。
（Ｓ５０）：マイクロコンピュータ６（点灯回路制御部）は、放電灯の点灯状態を変更せずに点灯を維持する。
【００２７】
図９に基づき、商用電源オフ時の処理について説明する。図９は、商用電源オフ時の点灯装置の動作を示すフローチャートである。
（Ｓ６１）：マイクロコンピュータ６（電源計測部）は、電力供給時間Ｔｏｎのカウントを停止する。
（Ｓ６２）：記憶部１０（カウント記憶部）は、電力供給時間Ｔｏｎのカウントを記憶する。
【００２８】
つまり、以上の処理をまとめると、電源スイッチをオンにして商用電源からの電力供給が開始されると、電力供給時間検出部８（電源計測部）は電力供給時間の計測を開始する。電力供給時間検出部８（電源計測部）は、電源スイッチをオフにして商用電源からの電力供給が停止されるときまでの電力供給時間を計測する。記憶部１０（カウント記憶部）は、このときの電力供給時間（電力供給時間Ｔｏｎのカウント）を記憶する。
再び電源が投入されると、電力供給時間検出部８（電源計測部）は、記憶部１０（カウント記憶部）が記憶した電力供給時間を読み出す。電力供給時間検出部８（期間判定部）は、所定時間よりも短いときは設定変更信号であると判定する。また、この場合、電力供給時間検出部８（電源計測部）は読み出した電力供給時間をリセットして、新たに電力供給時間を計測する。
すなわち、点灯装置は、電源スイッチのオン／オフ操作によって、電力供給時間の計測、電力供給時間の記憶、記憶した電力供給時間から設定変更信号であるかいなかの判定を繰り返し行う。
マイクロコンピュータ６（点灯回路制御部）は、設定変更信号が所定回数（例えば３回）に達し、電力供給時間Ｔｏｎが所定時間（例えば１０秒）を超えると調光レベルを変更する。そして、マイクロコンピュータ６（点灯回路制御部）は、この設定値に基づいた明るさになるようにインバータ回路３の出力を制御する。
【００２９】
以上のように、商用電源が停止時間によらず、商用電源が供給時間に基づき放電灯の点灯状態を変更する。そのため、商用電源の供給が停止した場合、記憶部１０（カウント記憶部）が情報を記憶するまでの間、マイクロコンピュータ６などの制御回路を動作させればよく、制御回路用電源１１の電界コンデンサなどの容量を小さいものにできる。
【００３０】
なお、実施の形態１と同様に、電力供給時間Ｔｏｎが１０秒経過前に、電力供給一時停止検出回数Ｆｏｆｆが３回（Ｆｏｆｆ＝３回）と判定された場合には暫定的に調光レベルを変更して、放電灯を変更後の調光レベルで点灯させてもよい。そして、電力供給時間Ｔｏｎが１０秒を経過した後に、調光レベルの変更を確定させ、継続して変更後の調光レベルで放電灯を点灯させるとしてもよい。一方、暫定的に調光レベルを変更した後、電力供給時間Ｔｏｎが１０秒を経過する前に電源スイッチのオン／オフ操作が行われた場合には、電力供給一時停止検出回数Ｆｏｆｆが３回でなくなるため、調光レベルを変更前の調光レベルに戻して放電灯を点灯させるとしてもよい。
【００３１】
実施の形態３．
この実施の形態では、実施の形態１又は実施の形態２における商用電源の有無の検出や、商用電源の供給停止期間の計測を行う他の構成を説明する。
本実施の形態において、実施の形態１と同じ部分については、同一符号を付し、説明を省略する。
【００３２】
図１０は、実施の形態１又は実施の形態２における商用電源の有無の検出を行う他の構成を示す点灯装置の内部構成図である。
図１０に示す点灯装置は、図２に示す実施の形態１に係る点灯装置と比べ、電力供給時間検出部８、電力供給一時停止検出部９を備えていない。
図２では、商用電源の有無を検出するために、電力供給時間検出部８や電力供給一時停止検出部９を備えていた。しかし、図１０に示す点灯装置では、商用電源の有無を検出するための回路部７とマイクロコンピュータ６とで電力供給時間及び電力供給一時停止時間を判定する。
【００３３】
図１１と図１２とは、実施の形態１又は実施の形態２における商用電源の停止期間の計測を行う他の構成を示す図である。
図１１と図１２とに示す点灯装置は、図１０に示す実施の形態１に係る点灯装置と比べ、電荷充電部１２を備える。また、制御回路用電源１１の構成を明示している。
電荷充電部１２は、商用電源が供給期間に電荷を充電し、供給停止期間に電荷を放電する。マイクロコンピュータ６（電源計測部）は、再び電力供給開始したときに電荷充電部１２に充電された電荷の残留量により、供給停止状態が予め定めた設定時間以内であることを判断する。
実施の形態１では、供給停止期間の計測はマイクロコンピュータ６へ電源からの電力の供給がない状態で行われた。しかし、図１１と図１２とに示す構成とすることで、供給停止期間の計測をマイクロコンピュータ６へ電源からの電力の供給がある状態で行うことができる。
なお、電荷充電部１２に充電された電荷の残留量により供給停止期間の判断を行うためには、電源オフとなる時点において必ず電荷充電部１２の充電が所定の値（例えば、充電がｆｕｌｌ（満タン））になっている必要がある。そこで、実施の形態１及び実施の形態２では、電源スイッチのオンとオフとが連続して行われたかを判断するために、電力の供給時間が所定の時間未満であること（図４のＳ１０、図８のＳ４０）を判定していたが、図１１と図１２とに示す構成の場合には、電力の供給時間が所定の時間以上であり、所定の時間未満であるとしてもよい。つまり、電力の供給時間が所定の時間以上であることを条件とすることにより、供給停止期間の計測を行う場合には、電源オフとなる時点において必ず電荷充電部１２の充電が所定の値になっていることを保障することができる。また、コンデンサＣ６と並列に抵抗Ｒ５を接続することにより、供給停止期間が所定期間を越えるときにコンデンサＣ６の電荷の残留量を所定値未満まで放電することができる。
また、制御回路用電源１１も電荷充電部１２と同様に商用電源が供給期間に電荷を充電する。そして、制御回路用電源１１は、電源オフ時にマイクロコンピュータ６等へ電力を供給できないものとしている。これにより、コンデンサＣ６の容量が小さいものを選択できる。
【００３４】
図１３は、図１１と図１２とに示す構成の動作チャート図である。
電源がオンになると（１）、コンデンサＣ６へ電荷が充電され始め、徐々にコンデンサＣ６の電圧が高くなる。そして、所定の時間が経過すると、コンデンサＣ６の電圧が最高値になる。次に、電源がオフになると（２）、コンデンサＣ６に充電された電荷が抵抗Ｒ５により消費され、徐々に減っていく。そして、再び電源がオンになると（３）、再びコンデンサＣ６へ電荷が充電され始め、徐々にコンデンサＣ６の電圧が高くなり、所定の時間が経過すると、コンデンサＣ６の電圧が最高値になる。
ここで、（３）で再び電源がオンなった際のコンデンサＣ６の電圧（充電された電荷の残留量）を計測することで、供給停止期間を計測することができる。
【００３５】
図１４は、図１１と図１２との点灯装置の構成から、電荷充電部１２を除いた構成を示す図である。図１１と図１２とは、実施の形態１で説明した処理に対応する構成であるのに対し、図１４は、実施の形態２で説明した処理に対応する構成である。
【００３６】
図１５は、図１１と図１２とに示す点灯装置の電荷充電部１２をマイクロコンピュータ６により制御する構成とした点灯装置の内部構成図である。マイクロコンピュータ６は、電荷充電部１２を制御する電荷制御部を備える。
図１６に基づき、図１５に示す点灯装置の供給停止期間の計測動作を説明する。図１６は、図１５に示す点灯装置の動作チャート図である。
（ａ）商用電源がオンになるとマイクロコンピュータ６へ電力が供給される（１）。
（ｂ）マイクロコンピュータ６（電荷制御部）は、トランジスタＱ４（スイッチ）に接続された放電信号出力端子Ｐ１から電荷（放電信号）を出力する（２）。すると、放電信号によりトランジスタＱ４がオンになり、コンデンサＣ７（第１のコンデンサ）に充電されていた電荷がコンデンサＣ８（第２のコンデンサ）へ移動する。ここで、マイクロコンピュータ６（電源計測部）は、コンデンサＣ７からコンデンサＣ８へ移動する電荷をコンデンサＣ７とコンデンサＣ８との間に接続された充電電荷検出端子Ｐ２から検出することにより、コンデンサＣ７の電圧（充電された電荷の残留量）を計測する。
（ｃ）コンデンサＣ７に充電されていた電荷がコンデンサＣ８へ移動すると、マイクロコンピュータ６（電荷制御部）は、放電信号出力端子Ｐ１から放電信号の出力を止め、コンデンサＣ７に接続された充電出力端子Ｐ３から電荷を出力する（３）。すると、コンデンサＣ７が充電される。商用電源がオフになるまで、充電出力端子Ｐ３から電荷を出力し続け、コンデンサＣ７が充電され続ける。
（ｄ）商用電源がオフになると、マイクロコンピュータ６への電力の供給がされなくなる（４）。すると、充電出力端子Ｐ３からの電荷の出力が停止し、コンデンサＣ７の充電が停止する。そして、コンデンサＣ７の電荷が抵抗Ｒ６により徐々に消費される。
（ｆ）再び商用電源がオンになると（ａ）へ戻り、上記と同様の動作を行う。つまり、マイクロコンピュータ６へ電力が供給され（５）、放電信号出力端子Ｐ１から電荷（放電信号）を出力してコンデンサＣ７の電圧を計測する（６）。
そして、マイクロコンピュータ６（期間判定部）は、上記動作の（ｂ）において計測したコンデンサＣ７の電圧により、供給停止期間が短時間であったか否かを判定する。
【００３７】
図１７は、図１５に示す点灯装置の電荷充電部１２の構成を変更した点灯装置の内部構成図である。図１７に示す電荷充電部１２の構成では、図１５に示す電荷充電部１２の充電電荷検出端子Ｐ２と充電出力端子Ｐ３との代わりに、図１５に示す電荷充電部１２の充電電荷検出端子Ｐ２と充電出力端子Ｐ３との動作を行う充電電荷検出／充電出力端子Ｐ４を備える。
図１８に基づき、図１７に示す点灯装置の供給停止期間の計測動作を説明する。図１８は、図１７に示す点灯装置の動作チャート図である。
（ａ’）商用電源がオンになるとマイクロコンピュータ６へ電力が供給される（１）。
（ｂ’）マイクロコンピュータ６（電荷制御部）は、放電信号出力端子Ｐ１から電荷（放電信号）を出力する（２）。すると、放電信号によりトランジスタＱ４がオンになり、コンデンサＣ７（第１のコンデンサ）に充電されていた電荷がコンデンサＣ８（第２のコンデンサ）へ移動する。ここで、マイクロコンピュータ６（電源計測部）は、コンデンサＣ７からコンデンサＣ８へ移動する電荷を充電電荷検出／充電出力端子Ｐ４（マイクロコンピュータ６への入力端子）から検出することにより、コンデンサＣ７の電圧（充電された電荷の残留量）を計測する。
（ｃ’）コンデンサＣ７に充電されていた電荷がコンデンサＣ８へ移動すると、マイクロコンピュータ６（電荷制御部）は、放電信号出力端子Ｐ１から放電信号の出力を止め、充電電荷検出／充電出力端子Ｐ４（マイクロコンピュータ６からの出力端子）から電荷を出力する（３）。すると、コンデンサＣ７が充電される。商用電源がオフになるまで、充電電荷検出／充電出力端子Ｐ４から電荷を出力し続け、コンデンサＣ７が充電され続ける。
（ｄ’）商用電源がオフになると、マイクロコンピュータ６への電力の供給がされなくなる（４）。すると、充電電荷検出／充電出力端子Ｐ４からの電荷の出力が停止し、コンデンサＣ７の充電が停止する。そして、コンデンサＣ７の電荷が抵抗Ｒ６により徐々に消費される。
（ｆ’）再び商用電源がオンになると（ａ’）へ戻り、上記と同様の動作を行う。つまり、マイクロコンピュータ６へ電力が供給され（５）、放電信号出力端子Ｐ１から電荷（放電信号）を出力してコンデンサＣ７の電圧を計測する（６）。
そして、マイクロコンピュータ６（期間判定部）は、上記動作の（ｂ’）において計測したコンデンサＣ７の電圧により、供給停止期間が短時間であったか否かを判定する。
【００３８】
なお、図１７に示す構成では、（ｃ’）でコンデンサＣ７が充電されるとともに、コンデンサＣ８も充電される。しかし、コンデンサＣ８に充電された電荷は、コンデンサＣ７に充電された電荷が抵抗Ｒ６により消費されるよりも短時間で抵抗Ｒ７により消費される。つまり、コンデンサＣ８に充電された電荷は、コンデンサＣ７に充電された電荷に比べ急速に放電される。その結果、電源がオンになった際、コンデンサＣ８には電荷が残っていないものとして考えることができる。
同様に図１５に示す構成において、電源がオンされた際、コンデンサＣ８には電荷が残っていないものとして考えることができる。
【００３９】
図１９は、図１５に示す構成のマイクロコンピュータ６が電源供給を受ける箇所を変更した構成を示す図である。図１５では、商用電源から直接マイクロコンピュータ６は電源供給を受ける構成としていた。しかし、図１９に示すように商用電源から直接マイクロコンピュータ６は電源供給を受けず、他の部分（図１９では負荷回路４）から電源供給を受けるとしてもよい。
図１５に示す構成だけでなく、他の構成においても商用電源から直接マイクロコンピュータ６は電源供給を受けず、他の部分から電源供給を受けるとしてもよい。
【００４０】
図２０は、図１５に示す点灯装置に商用電源有無検出回路を加えた点灯装置の内部構成図である。
商用電源有無検出回路は、商用電源から電力の供給があるか否かを判断する回路である。図１５に示す点灯装置は、商用電源からの電力の供給が止まると、マイクロコンピュータ６への電力の供給が止まるため、充電出力端子Ｐ３からの電荷の出力も止まる。しかし、商用電源有無検出回路を設け、商用電源からの電力の供給が止まったことを検知して、充電出力端子Ｐ３からの電荷の出力を止めるとしてもよい。商用電源有無検出回路を設けることで、より厳密に供給停止期間を計測することができる。
同様に、図１７に示す構成に商用電源有無検出回路を設け、商用電源からの電力の供給が止まったことを検知して、充電電荷検出／充電出力端子Ｐ４からの電荷の出力を止めるとしてもよい。
【００４１】
なお、図１５と図１７とに示す点灯装置は、電荷充電部１２をマイクロコンピュータ６の電荷制御部により制御する構成とした。しかし、電荷制御部と同様の機能を有する回路などにより電荷充電部１２を制御するとしてもよい。
【００４２】
実施の形態４．
この実施の形態では、実施の形態１と実施の形態２とで説明した処理に、さらに、点灯状態を初期状態（初期値）に戻す処理を追加した点灯装置について説明する。
つまり、所定の操作を行った場合、点灯状態を予め定めた初期状態に戻す処理を追加する。
【００４３】
まず、実施の形態１で説明した処理に点灯状態を初期状態に戻す処理を追加した点灯装置について説明する。図２１は、商用電源オン時の点灯装置の動作を示すフローチャートである。商用電源オフ時の点灯装置の動作は実施の形態１で説明した処理と同様である。
なお、ここで説明する点灯装置の内部構成は、実施の形態１に係る点灯装置と同様である。
【００４４】
ここでは、図２１に示す商用電源オン時の点灯装置の動作について、実施の形態１で説明した商用電源オン時の点灯装置の動作と異なる部分のみ説明する。
（Ｓ１）から（Ｓ１０）までは実施の形態１と同様である。
（Ｓ１１）：マイクロコンピュータ６（カウント部）は、電力供給一時停止検出回数Ｆｏｆｆが３回（第１の回数）であるか判定するとともに、電力供給一時停止検出回数Ｆｏｆｆが４回（第２の回数）であるか判定する。電力供給一時停止検出回数Ｆｏｆｆが３回であると判定した場合（Ｓ１１でＦｏｆｆ＝３回）、マイクロコンピュータ６（カウント部）は（Ｓ１２）へ進む。電力供給一時停止検出回数Ｆｏｆｆが４回であると判定した場合（Ｓ１１でＦｏｆｆ＝４回）、マイクロコンピュータ６（カウント部）は（Ｓ１９）へ進む。電力供給一時停止検出回数Ｆｏｆｆが３回でも４回でもないと判定した場合（Ｓ１１でＦｏｆｆ≠３回、４回）、マイクロコンピュータ６（カウント部）は（Ｓ１５）へ進む。
（Ｓ１２）から（Ｓ１８）までは実施の形態１と同様である。
（Ｓ１９）：マイクロコンピュータ６（点灯回路制御部）は、点灯モードＳＨを初期点灯処理する。初期点灯処理とは、予め記憶部１０（設定値記憶部）が記憶した放電灯の調光レベルの初期値に、放電灯の調光レベルを切り替える処理である。
そして、（Ｓ１４）では、マイクロコンピュータ６（点灯回路制御部）は、切り替えた点灯モードで放電灯の点灯制御を開始する。
【００４５】
次に、実施の形態２で説明した処理に点灯状態を初期状態に戻す処理を追加した点灯装置について説明する。図２２は、商用電源オン時の点灯装置の動作を示すフローチャートである。商用電源オフ時の点灯装置の動作は実施の形態２で説明した処理と同様である。
なお、ここで説明する点灯装置の内部構成は、実施の形態２に係る点灯装置と同様である。
【００４６】
ここでは、図２２に示す商用電源オン時の点灯装置の動作について、実施の形態２で説明した商用電源オン時の点灯装置の動作と異なる部分のみ説明する。
（Ｓ３１）から（Ｓ４０）までは実施の形態１と同様である。
（Ｓ４１）：マイクロコンピュータ６（カウント部）は、短時間電力供給検出回数Ｋｏｎが３回（第１の回数）であるかを判定するとともに、短時間電力供給検出回数Ｋｏｎが４回（第２の回数）であるかを判定する。短時間電力供給検出回数Ｋｏｎが３回であると判定した場合（Ｓ４１でＫｏｎ＝３回）、マイクロコンピュータ６（カウント部）は（Ｓ４２）へ進む。短時間電力供給検出回数Ｋｏｎが４回であると判定した場合（Ｓ４１でＫｏｎ＝４回）、マイクロコンピュータ６（カウント部）は（Ｓ５１）へ進む。短時間電力供給検出回数Ｋｏｎが３回でも４回でもないと判定した場合（Ｓ４１でＫｏｎ≠３回、４回）、マイクロコンピュータ６（カウント部）は（Ｓ４８）へ進む。
（Ｓ４２）から（Ｓ５０）までは実施の形態２と同様である。
（Ｓ５１）：マイクロコンピュータ６（点灯回路制御部）は、点灯モードＳＨを初期点灯処理する。初期点灯処理とは、予め記憶部１０（設定値記憶部）が記憶した放電灯の調光レベルの初期値に、放電灯の調光レベルを切り替える処理である。
そして、（Ｓ４５）では、マイクロコンピュータ６（点灯回路制御部）は、切り替えた点灯モードで放電灯の点灯制御を開始する。
【００４７】
以上のように、順送り処理を何度も繰り返すことなく調光レベルを初期値に戻すことができるので、調光レベルを初期値に戻す場合の手間がかからない。
【００４８】
なお、上記説明において、電力供給一時停止検出回数Ｆｏｆｆが３回か否か、あるいは電力供給一時停止検出回数Ｆｏｆｆが４回か否か判定したが、この回数は任意に設定してよい。短時間電力供給検出回数Ｋｏｎについても同様に任意に設定してよい。
【００４９】
実施の形態５．
この実施の形態では、順送り処理と初期点灯処理とで点灯モードが切り替えられた場合の点灯制御について説明する。
【００５０】
図２３と図２４とは、順送り処理が行われた場合の出力変化を示す図である。
順送り処理が行われ、調光レベルが変更された場合には、変更前の調光レベルから変更後の調光レベルへ直接変更するのではなく、例えば図２３に示すように最高出力から変更後の出力へ段階的に調光レベルを下げて（暗くして）いくとしてもよい。つまり、最高出力で２秒間出力し、最高出力と変更後の調光レベルとの間の中間出力で２秒間出力した後、変更後の調光レベルで出力するとしてもよい。
また、図２４に示すように、最低出力から変更後の出力へ段階的に調光レベルを上げて（明るくして）いくとしてもよい。
さらに、上記例では最高出力又は最低出力から段階的に調光レベルを変更するとしたが、最高出力及び最低出力でない調光レベルから段階的に調光レベルを変更するとしてもよい。
また、さらに、中間出力を複数段階設けてもよい。
【００５１】
以上のように、順送り処理が行われた場合に調光レベルを段階的に変更することで、調光レベルが変更されたことを視覚で確認できる。また、変更後の調光レベルの明るさがどの程度のものであるかを容易に把握できる。
【００５２】
図２５と図２６とは、順送り処理が行われた場合の出力変化の他の例を示す図である。
図２５に示すように、変更前の調光レベル（図２５においては、最高出力レベル）と変更後の調光レベルとの明るさの差がαであるとき、変更前の調光レベルと明るさの差が少なくとも２α以上ある調光レベルと、変更前の調光レベルとに交互に、光源の調光レベルを複数回変更した後、光源の調光レベルを変更後の調光レベルに変更するとしてもよい。つまり、変更前と変更後との明るさの差の２倍以上の差のある２つの調光レベルで光源の明るさを複数回明暗させた後、光源の調光レベルを変更後の調光レベルに変更するとしてもよい。
さらに、図２６に示すように、光源の調光レベルが少なくとも最高出力の所定の割合（例えば、５０％以上）の調光レベルまでしか変更されない場合には、所定の調光レベル（例えば、最高出力レベル）と、所定の調光レベルの上記所定の割合以下（例えば、５０％以下）の出力とに交互に、光源の調光レベルを複数回変更した後、光源の調光レベルを変更するとしてもよい。
【００５３】
以上のように、順送り処理が行われた場合に調光レベルを変更後の調光レベルよりも明らかに明るい調光レベル（又は暗い調光レベル）と、変更前の調光レベルとに交互に点灯させることで、調光レベルが変更されたことを視覚で確認できる。特に、最も暗い調光レベルよりも暗い調光レベルと変更前の調光レベルとに交互に数回変更されることにより、調光レベルが変更されたことを容易に確認できる。
【００５４】
図２７と図２８とは、順送り処理が行われた場合のブザー回路２７の動作を示す図である。また、図２９は、ブザー回路２７を備える点灯装置の内部構成図である。
所定の調光レベル（例えば、最高出力レベル）よりも、記憶部１０（設定値記憶部）が記憶した設定値でｎ段階明るい調光レベル又はｎ段階暗い調光レベルに光源の調光レベルを変更する場合、変更後の調光レベルに対応する特定の音を鳴らすとしてもよい。特定の音とは、例えば、所定の音をｎ回鳴らすことである。つまり、図２７に示すように、最高出力レベルから１段階暗い調光レベルに光源の調光レベルを変更する場合、ブザー回路２７を１度鳴らし、図２８に示すように、最高出力レベルから２段階暗い調光レベルに光源の調光レベルを変更する場合、ブザー回路２７を２度鳴らすとしてもよい。
【００５５】
以上のように、順送り処理が行われた場合に調光レベルの変更の程度に合わせてブザー音を鳴らすことで、調光レベルが変更されたことを聴覚で確認できる。また、変更後の調光レベルの明るさがどの程度のものであるかを容易に把握できる。
【００５６】
なお、図２９に示すように、ブザー回路２７は、マイクロコンピュータ６に接続され、マイクロコンピュータ６が調光レベルの変更指示を行う際、合わせてブザー回路２７の制御も行うことができる。
【００５７】
図３０は、初期点灯処理が行われた場合の出力変化を示す図である。
初期点灯処理が行われ、調光レベルが初期値に設定された場合には、変更前の調光レベルから初期値の調光レベルへ直接変更するのではなく、例えば図３０に示すように最高出力と最低出力とに交互に所定の回数繰り返して調光レベルを変更した後、初期値の調光レベルに放電灯の調光レベルを変更するとしてもよい。例えば、２秒間、最高出力と最低出力とに交互に繰り返して調光レベルを変更した後、初期値の調光レベルに放電灯の調光レベルを変更するとしてもよい。
また、上記例では、最高出力と最低出力とに交互に所定の回数繰り返して調光レベルを変更するとしたが、所定の調光レベルよりも明るい調光レベルと上記所定の調光レベルよりも暗い調光レベルとに交互に所定の回数繰り返して調光レベルを変更するとしてもよい。
【００５８】
以上のように、初期点灯処理が行われた場合に調光レベルを繰り返し変更することで、調光レベルが初期値に変更されたことを視覚で確認できる。
【００５９】
図３１は、初期点灯処理が行われた場合のブザー回路２７の動作を示す図である。
調光レベルが初期値に設定された場合には、光源の調光レベルを変更する場合に鳴らす所定の音とは異なる音を鳴らすとしてもよい。ここで、異なる音とは、音域等の異なる音、長さの異なる音、パターンの異なる音等、光源の調光レベルを変更する場合に鳴らす音と区別できる音であれば構わない。図３１に示すように、例えば、初期値の調光レベルより１段階暗い調光レベルから初期値の調光レベルに変更される場合、光源の調光レベルを変更する場合に鳴らすブザー音よりも長い（例えば２倍以上の長さ）のブザー音を鳴らすとしてもよい。音声（例えば、「初期値に戻しました。」）による報知であってもよい。
【００６０】
以上のように、初期点灯処理が行われた場合に調光レベルが変更された場合とは異なるブザー音を鳴らすことで、調光レベルが初期値に変更されたことを聴覚で確認できる。
【００６１】
実施の形態６．
上記実施の形態では、順送り処理により次に明るい又は暗い調光レベルへ変更した。この実施の形態では、一度の変更操作で任意の明るさを設定できる点灯装置について説明する。
【００６２】
まず、実施の形態１で説明した処理の順送り処理を一度の変更操作で任意の明るさを設定できる処理に変更した点灯装置について説明する。図３２は、商用電源オン時の点灯装置の動作を示すフローチャートである。商用電源オフ時の点灯装置の動作は実施の形態１で説明した処理と同様である。
なお、ここで説明する点灯装置の内部構成は、実施の形態１に係る点灯装置と同様である。
【００６３】
ここでは、図３２に示す商用電源オン時の点灯装置の動作について、実施の形態１で説明した商用電源オン時の点灯装置の動作と異なる部分のみ説明する。
（Ｓ１）から（Ｓ１１）までと、（Ｓ１３）から（Ｓ１８）までとは実施の形態１と同様である。
（Ｓ１２）では、出力設定処理を実行する。
【００６４】
図３３は、出力設定処理での放電灯の調光レベルの変化を示す図である。
図３３に示すように、出力設定処理では、最高出力の調光レベルから最低出力の調光レベルへ暗くなるように放電灯の調光レベルを段階的に変更する。
出力設定処理では、電源スイッチから入力があった場合に放電灯の調光レベルの変更をその時点で停止して、調光レベルを確定する。また、最高出力の調光レベルから最低出力の調光レベルへ暗くなるように放電灯の調光レベルを段階的に変更する処理を所定の回数繰り返し、その間に入力がない場合には、調光レベルの変更を行わない。
図３３では、放電灯の調光レベルを段階的に変更する処理を３回繰り返している。放電灯の調光レベルを段階的に変更する処理のループ数は何回繰り返しても構わないが、操作性を考慮すると３回程度が望ましい。また、各段階の調光レベルで放電灯を３秒間点灯させている。各出力での点灯時間は何秒でも構わないが、操作性を考慮すると、３秒程度が望ましい。
なお、最低出力の調光レベルから最高出力の調光レベルへ明るくなるように放電灯の調光レベルを段階的に変更してもよい。また、最高出力や最低出力でなく、任意の第１の出力から任意の第２の出力まで段階的に変更してもよい。
【００６５】
図３４に基づき、出力設定処理について説明する。図３４は、出力設定処理の動作を示すフローチャートである。
【００６６】
（Ｓ７１）：マイクロコンピュータ６（点灯回路制御部）は、仮点灯モードＳＨ’を最高出力に設定する。
（Ｓ７２）：マイクロコンピュータ６（点灯回路制御部）は、設定された仮点灯モードＳＨ’で放電灯を点灯させる。
（Ｓ７３）：マイクロコンピュータ６（点灯回路制御部）は、所定の入力があったか否かを判定する。所定の入力とは、例えば、電源スイッチからの入力（例えば電源スイッチのオフ操作）である。その他、何らかのボタン等の入力であってもよい。所定の入力があったと判定した場合（Ｓ７３でＹｅｓ）、マイクロコンピュータ６（点灯回路制御部）は（Ｓ８０）へ進む。一方、所定の入力がなかったと判定した場合（Ｓ７３でＹｅｓ）、マイクロコンピュータ６（点灯回路制御部）は（Ｓ７４）へ進む。
（Ｓ７４）：マイクロコンピュータ６（点灯回路制御部）は、設定された仮点灯モードＳＨ’で放電灯を点灯させてから所定の時間が経過したか否かを判定する。マイクロコンピュータ６（点灯回路制御部）は、例えば、設定された仮点灯モードＳＨ’で放電灯を点灯させてから３秒経過したか否かを判定する。所定の時間が経過したと判定した場合（Ｓ７４でＹｅｓ）、マイクロコンピュータ６（点灯回路制御部）は（Ｓ７５）へ進む。一方、所定の時間が経過していないと判定した場合（Ｓ７４でＮｏ）、マイクロコンピュータ６（点灯回路制御部）は（Ｓ７３）へ戻る。
（Ｓ７５）：マイクロコンピュータ６（点灯回路制御部）は、点灯モードＳＨが最低出力であるか否かを判定する。点灯モードＳＨが最低出力であると判定した場合（Ｓ７５でＹｅｓ）、マイクロコンピュータ６（点灯回路制御部）は（Ｓ７６）へ進む。一方、点灯モードＳＨが最低出力でないと判定した場合（Ｓ７５でＮｏ）、マイクロコンピュータ６（点灯回路制御部）は（Ｓ７８）へ進む。
（Ｓ７６）：マイクロコンピュータ６（点灯回路制御部）は、放電灯の調光レベルを段階的に変更する処理の繰り返した回数であるループ回数Ｃをカウントする（Ｃ＝Ｃ＋１）。
（Ｓ７７）：マイクロコンピュータ６（点灯回路制御部）は、ループ回数Ｃが所定の回数より多いか否かを判定する。ループ回数Ｃが所定の回数より多い場合（Ｓ７７でＹｅｓ）、マイクロコンピュータ６（点灯回路制御部）は調光レベルの変更を行わず、処理を終了する。一方、ループ回数Ｃが所定の回数より多くない場合（Ｓ７７でＮｏ）、マイクロコンピュータ６（点灯回路制御部）は（Ｓ７９）へ進む。
（Ｓ７８）：マイクロコンピュータ６（点灯回路制御部）は、仮点灯モードＳＨ’を次に暗いレベルに設定する。
（Ｓ７９）：マイクロコンピュータ６（点灯回路制御部）は、仮点灯モードＳＨ’を最高出力に設定する。
（Ｓ８０）：マイクロコンピュータ６（点灯回路制御部）は、点灯モードＳＨを入力があった時点の仮点灯モードＳＨ’に確定する。ここで、所定の入力が電源スイッチのオフ入力である場合には、記憶部１０は確定した点灯モードＳＨを記憶する。そして、マイクロコンピュータ６（点灯回路制御部）は、再び電源スイッチがオンになった場合に、記憶部１０から点灯モードを読み出して放電灯を点灯させる。なお、再び電源スイッチがオンになるまでの時間を所定の時間（例えば３秒）以内に制限してもよい。
【００６７】
次に、実施の形態２で説明した処理の順送り処理を一度の変更操作で任意の明るさを設定できる処理に変更した点灯装置について説明する。図３５は、商用電源オン時の点灯装置の動作を示すフローチャートである。商用電源オフ時の点灯装置の動作は実施の形態２で説明した処理と同様である。
なお、ここで説明する点灯装置の内部構成は、実施の形態２に係る点灯装置と同様である。
【００６８】
ここでは、図３５に示す商用電源オン時の点灯装置の動作について、実施の形態２で説明した商用電源オン時の点灯装置の動作と異なる部分のみ説明する。
（Ｓ３１）から（Ｓ４１）までと、（Ｓ４３）から（Ｓ５０）までとは実施の形態２と同様である。
（Ｓ４２）では、出力設定処理を実行する。出力設定処理は、図３４に基づき説明した通りである。
【００６９】
以上のように、最高出力から最低出力まで暗くなるように調光レベルを段階的に変更して、所定の入力があった場合に上記光源の調光レベルの変更を停止することにより、１度の変更操作で所望の調光レベルに設定することができる。
【００７０】
また、上記説明では、出力設定処理において、電源スイッチから入力があった場合に放電灯の調光レベルの変更をその時点で停止して、調光レベルを確定すると説明した。しかし、一般に明るさを視認してから入力を行うには若干の時間がかかる。つまり、次の明るさを予想して入力を行うわけではなく、結果を見て入力を行う。そのため、実際より進んで入力を行うことはなく、実際より遅れて入力を行う。そのため、視認した明るさと設定される明るさとがずれる場合がある。つまり、入力が遅れてしまい、視認した明るさの次の段階の明るさが設定されてしまう場合がある。また、複数の照明器具の間での部品精度のバラツキにより、照明器具間で異なる出力設定がされる可能性がある。
そこで、図３６に示すように、放電灯の調光レベルをある段階（第１の段階）の調光レベルから次の段階（第２の段階）の調光レベルへ変更した後、所定の期間（ｔ秒）内に電源スイッチからの入力があった場合、第１の段階の調光レベルに放電灯の調光レベルを変更して、調光レベルの変更を停止するとしてもよい。つまり、図３６の「ｘ」の時点で入力があった場合、放電灯は中間出力に変更されて点灯しているが、高出力へ変更し直して、設定する。つまり、図３６の期間Ａで入力がされた場合、高出力に設定し、期間Ｂで入力がされた場合、中間出力に設定し、期間Ｃで入力がされた場合、低出力に設定する。
上記ｔ秒は、照明器具間での精度のバラツキと、光の変化を認識して行動するまでの時間を考慮して、０．２秒程度が望ましい。
【００７１】
また、照明器具間で異なる設定値になることをさらに防止するために、図３７に示すように出力設定処理において、出力変化させるタイミングおよび滞在時間を、電力供給時間検出部８又は電力供給一時停止検出部９等の所定の回路からマイクロコンピュータ６に送出される商用電源の０クロスのタイミングに一致させるとしてもよい。つまり、各回路のマイクロコンピュータ６のタイマーにより、出力変化させるタイミングおよび滞在時間を決定した場合には、タイマーのずれによりバラツキを生じることになる。しかし、商用電源の０クロスのタイミングに一致させることで、各器具間の出力変化タイミングのバラツキを解消することができる。
【００７２】
実施の形態７．
この実施の形態では、現在多く使用されている高周波専用放電灯であるＨｆ３２（形名：ＦＨＦ３２）を例にして、点灯モードの設定値について説明する。
【００７３】
Ｈｆ３２は、２つの設定値での動作を保証した２重定格である。Ｈｆ３２の定格値は、４５Ｗと３２Ｗとである。つまり、Ｈｆ３２を２灯で使用した場合の定格値は、９０Ｗと６４Ｗとなる。点灯装置を器具に搭載した場合では、Ｈｆ３２を２灯で使用した場合の定格値は、８８Ｗと６４Ｗと示すことが一般的である。
また、高周波点灯装置が普及する前は磁気式安定器が多く普及していた。現在でも価格のメリットから磁気式安定器は広く使用されている。磁気式安定器で点灯させる放電灯グローランプは、ＦＬ４０／ＳＳ／３７が多い。磁気式安定器と同等の光束を得るために、ＦＬ４０／ＳＳ／３７を高周波点灯装置で点灯させると、２灯点灯の場合、略７７Ｗとなる。
【００７４】
また、放電灯の経年による光束劣化を補うように点灯時間とともに光出力を増加させ、得られる光束を一定にする技術がある。放電灯の光束が７０％を切った場合、放電灯の寿命であると判断することが一般的である。そのため、上記技術では、放電灯の初期値を全光の７０％に設定しておくことで、平均８５％の光束を得ることができる。
上述した８８Ｗに対して７０％の出力は約５５Ｗとなる。同様に、６６Ｗの７０％の出力は約４４Ｗである。
【００７５】
Ｈｆ３２を使用した場合、上述した８８Ｗ、７７Ｗ、６６Ｗ、５５Ｗ、４４Ｗという値を設定値として記憶部１０（設定値記憶部）が記憶することが考えられる。例えば、８８Ｗ、７７Ｗ、６６Ｗを選択するように記憶部１０（設定値記憶部）が記憶してもよい。また、６６Ｗ、５５Ｗ、４４Ｗを選択するように記憶部１０（設定値記憶部）が記憶してもよい。さらに、８８Ｗ、６６Ｗ、５５Ｗを選択するように記憶部１０（設定値記憶部）が記憶してもよい。もちろん、８８Ｗ、７７Ｗ、６６Ｗ、５５Ｗ、４４Ｗを選択するように記憶部１０（設定値記憶部）が記憶してもよい。
【００７６】
このように、設定値を選択することで、定格値等にしたがって動作するため、安定した動作が可能となる。
【００７７】
実施の形態８．
この実施の形態では、上記実施の形態で説明した電源スイッチのオン／オフの操作による調光レベルの調整と、放電灯の経年による光束劣化を補うように点灯時間とともに光出力を増加させ、得られる光束を一定にする技術とを組み合わせた点灯装置について説明する。
【００７８】
１つ目の例として、点灯積算時間により出力を変動させる計時制御モードと、予め決められた出力で光源（ここでは、放電灯）を点灯させる設定値モードとを切替する点灯装置について説明する。
図３８はこの実施の形態に係る点灯装置の内部構成図である。図３８は、図２に示す点灯装置と同一の構成である。
【００７９】
まず、計時制御モードについて説明する。
マイクロコンピュータ６（点灯積算時間カウント部）は、放電灯の点灯積算時間をカウントする。マイクロコンピュータ６（点灯積算時間カウント部）は、例えば、発振子などを使用して点灯積算時間をカウントする。そして、マイクロコンピュータ６（点灯回路制御部）は、カウントした点灯積算時間に基づき放電灯の出力を調整して放電灯が放つ光の明るさを制御する。
また、記憶部１０（制御値記憶部）は、放電灯の点灯積算時間に対して放電灯の調光レベルの値を記憶する。放電灯の経年による光束劣化を補うように点灯時間とともに光出力を増加させ、得られる光束を一定にするため、記憶部１０（制御値記憶部）は、点灯積算時間が長くなるほど、放電灯の出力が大きくなるような調光レベルを記憶する。例えば、記憶部１０（制御値記憶部）は、点灯積算時間が０から５００時間までの場合には出力５０％、点灯積算時間が５００時間から１０００時間までは出力５５％、点灯積算時間が１０００時間から１５００時間までは出力６０％・・・などのように点灯積算時間に基づき定められた値を記憶する。
そして、マイクロコンピュータ６（点灯回路制御部）は、記憶部１０（制御値記憶部）が記憶した調光レベルからマイクロコンピュータ６（点灯積算時間カウント部）がカウントした点灯積算時間に対する調光レベルの値を検索し、検索した調光レベルの値で放電灯を点灯させる。
【００８０】
次に、設定値モードについて説明する。
記憶部１０（設定値記憶部）は、調光レベルとしてとり得る値を設定値として記憶する。マイクロコンピュータ６（点灯回路制御部）は、記憶部１０（設定値記憶部）が記憶した調光レベルの値により、放電灯を点灯させる。
つまり、設定値モードにおいては、点灯積算時間とは関係なく、予め定められた出力で放電灯を点灯させる。
【００８１】
そして、この実施の形態に係る点灯装置は、計時制御モードと設定値モードとを切替する。つまり、マイクロコンピュータ６（点灯回路制御部）は、上記実施の形態で説明した電源スイッチのオン／オフの操作により、計時制御モードと設定値モードとを切替して、放電灯の調光レベルを変更する。すなわち、マイクロコンピュータ６（点灯回路制御部）は、電源スイッチのオン／オフ操作が連続して３回（第１の回数）行われた場合、計時制御モードと設定値モードとを切替する。図４と図５とに示す処理であれば（Ｓ１２）において、また図８と図９とに示す処理であれば（Ｓ４２）において、計時制御モードと設定値モードとを切替する。
【００８２】
また、設定値モードにおいて、記憶部１０（設定値記憶部）が調光レベルとしてとり得る値を複数記憶している場合には、上記実施の形態で説明した順送り処理により、調光レベルの値を変更する。以下に具体例を示す。
例えば、記憶部１０（設定値記憶部）は、例えば、出力７０％、出力１００％の２つの設定値を順に記憶しているとする。順送り処理では、計時制御モードと設定値モードとを切替するとともに、記憶部１０（設定値記憶部）が記憶した設定値を順に変更する。
つまり、図３９（ａ）に示すように、計時制御モード−出力７０％（設定値モード）−出力１００％（設定値モード）の順に１段階ずつ調光レベルを変更して、出力１００％（設定値モード）の次には、計時制御モードに変更する。また、図３９（ｂ）に示すように出力１００％（設定値モード）−出力７０％（設定値モード）−計時制御モードの順に１段階ずつ調光レベルを変更して、計時制御モードの次に出力１００％（設定値モード）に変更するなどどのような順に変更しても構わない。
すなわち、マイクロコンピュータ６（点灯回路制御部）は、上記カウント部がカウントした回数が第１の回数である場合、現在のモードが上記制御モードであれば上記設定値モードに切替する。また、現在のモードが上記設定値モードであれば、現在の調光レベルの値の次に上記設定値記憶部が設定値として記憶した調光レベルの値に上記光源の調光レベルを変更するとともに、現在の調光レベルの値の次に設定値として記憶した調光レベルの値がない場合には上記計時制御モードに切替する。
【００８３】
なお、マイクロコンピュータ６（点灯積算時間カウント部）は、記憶部１０（制御値記憶部）が点灯積算時間に対して記憶した調光レベルの値で放電灯を点灯させている時間のみを点灯積算時間としてカウントしても構わないし、放電灯の出力の値にかかわらず、放電灯が点灯している時間を点灯積算時間としてカウントしても構わない。つまり、計時制御モードで放電灯を点灯させている場合のみ、点灯積算時間をカウントしても、計時制御モードで放電灯を点灯させている場合と設定値モードとで放電灯を点灯させている場合とのいずれの場合であっても、点灯積算時間をカウントするとしても構わない。
【００８４】
２つ目の例として、記憶部１０（制御値記憶部）が点灯積算時間に対して複数の調光レベルの値を記憶する点灯装置について説明する。この例に係る点灯装置は、１つ目の例に係る点灯装置と同様である。
例えば、記憶部１０（制御値記憶部）が点灯積算時間に対して第１のモードと第２のモードとの２つのモードの調光レベルの値を記憶しているとする。図４０は、第１のモードと第２のモードとの調光レベルの値を示す図である。放電灯の経年による光束劣化を補うように点灯時間とともに光出力を増加させ、得られる光束を一定にするため、いずれのモードの調光レベルの値も点灯積算時間が経過するほど高い値をとる。つまり、点灯積算時間が経過するほど光出力を増加する値をとる。
そして、この実施の形態に係る点灯装置は、第１のモードと第２のモードとを切替する。つまり、マイクロコンピュータ６（点灯回路制御部）は、上記実施の形態で説明した電源スイッチのオン／オフの操作により、第１のモードと第２のモードとを切替して、放電灯の調光レベルを変更する。すなわち、マイクロコンピュータ６（点灯回路制御部）は、電源スイッチのオン／オフ操作が連続して３回（第１の回数）行われた場合、第１のモードと第２のモードとを切替する。図４と図５とに示す処理であれば（Ｓ１２）において、また図８と図９とに示す処理であれば（Ｓ４２）において、第１のモードと第２のモードとを切替する。
【００８５】
２つ目の例のような動作をすることで、例えばＨＦ３２Ｗのように高出力４５Ｗと低出力３２Ｗという２つの定格値を持つ放電灯に対しても、点灯積算時間とともに、光出力を変化させる技術を適用することができる。つまり、第１のモードを定格出力３２Ｗとし、第２のモードを高出力４５Ｗとして、電源スイッチのオン／オフの操作によりモードを切替することで、放電灯の経年による光束劣化を補うように点灯時間とともに光出力を増加させつつ、高出力と低出力とを切替して放電灯を点灯することができる。
【００８６】
また、記憶部１０（制御値記憶部）は、第１のモード（例えば、定格出力３２Ｗ）と、第２のモード（例えば、高出力４５Ｗ）との間の調光レベルの値をとり、第１のモードと第２のモードと同様に、点灯積算時間に応じて変化する第３のモードを記憶しても構わない。つまり、２つの定格値を持つ放電灯であれば、２つの定格値により定められた出力の中間の値をとるモードを設定しても構わない。図４１は、第３のモードの調光レベルの値を示す図である。この場合、マイクロコンピュータ６（点灯回路制御部）は、上記実施の形態で説明した順送り処理により、第１のモードと第２のモードと第３のモードとを切替して放電灯の調光レベルを変更する。
なお、第１のモードと第２のモードとの間に、何段階のモードを設けても構わない。
【００８７】
なお、以上で説明した２つの例において、マイクロコンピュータ６（点灯回路制御部）は、電力供給一時停止検出回数Ｆｏｆｆが３回（第１の回数）であると判定した場合、順送り処理（モードの切替）を行い、電力供給一時停止検出回数Ｆｏｆｆが５回（第３の回数）であると判定した場合、点灯積算時間を初期化する（０に戻す）としても構わない。つまり、図４に示す（Ｓ１１）で電力供給一時停止検出回数Ｆｏｆｆが第３の回数であるとマイクロコンピュータ６（カウント部）が判定した場合、マイクロコンピュータ６（点灯回路制御部）は点灯積算時間を初期化する。
【００８８】
以上のように、上記実施の形態で説明した電源スイッチのオン／オフの操作による調光レベルの調整と、放電灯の経年による光束劣化を補うように点灯時間とともに光出力を増加させ、得られる光束を一定にする技術とを組み合わせ、放電灯の光出力の調整を行う。そのため、放電灯の経年による光束劣化の補正を実現しつつ、使用者により任意に光出力の強さを選択することが可能である。また、上記機能を実現するに当たり、調光信号を入力するような回路を設ける必要がなく、回路部品等の追加が必要ない。
【００８９】
なお、上記説明では、この実施の形態に係る点灯装置の内部構成を図３８に基づき、図２に示す点灯装置の内部構成と同一であるとして説明した。しかし、この実施の形態に係る点灯装置は、図１０、図１１、図１２、図１４、図１５、図１７、図１９、図２０に示す内部構成であっても構わない。
つまり、図１０に示すように、電力供給時間検出部８や電力供給一時停止検出部９を備えず、商用電源の有無を検出するための回路部７とマイクロコンピュータ６とで電力供給時間及び電力供給一時停止時間を判定するとしても構わない。
また、図１１、図１２に示すように、商用電源が供給期間に電荷を充電し、供給停止期間に電荷を放電する電荷充電部１２を備え、マイクロコンピュータ６（電源計測部）が再び電力供給開始したときに電荷充電部１２に充電された電荷の残留量により、供給停止状態が予め定めた設定時間以内であることを判断するとしても構わない。
さらに、図１４に示すように、図１１と図１２との点灯装置の構成から、電荷充電部１２を除き、実施の形態２で説明した処理に対応する構成としても構わない。
また、さらに、図１５に示すように、図１１と図１２とに示す点灯装置の電荷充電部１２をマイクロコンピュータ６により制御する構成としても構わない。
また、電荷充電部１２の構成を図１７、図１９に示す構成としても構わない。
さらに、図２０に示すように、図１５に示す点灯装置に商用電源有無検出回路を加えた構成としても構わない。
また、さらに、図４２に示すように、マイクロコンピュータ６と商用電源検出回路７とを備えず、マイクロコンピュータ６が備える機能のうち、カウント部と点灯回路制御部の機能を果たす点灯制御回路と、点灯積算時間カウント部の機能を果たす点灯計時タイマーとを備える構成としても構わない。つまり、この構成では、負荷回路４に接続された点灯計時タイマーにより点灯積算時間をカウントして、カウントした点灯積算時間を点灯制御回路へ入力する。そして、点灯制御回路は、点灯積算時間と調光レベルとに基づき、ドライブ回路５を制御して放電灯の出力を調整する。
【００９０】
実施の形態９．
この実施の形態では、放電灯点灯装置の放電灯の出力の度合を示す出力表示を表示する点灯状態表示装置について説明する。また、放電灯点灯装置が出力の度合を示す出力表示を表示する表示部１６を備える場合も説明する。
【００９１】
図４３は、この実施の形態に係る点灯装置と点灯状態表示装置との内部構成図である。図４３において、破線部Ａが点灯装置を示し、破線部Ｂが点灯状態表示装置を示す。
図４３に示す点灯装置の構成は、図２に示す実施の形態１に係る点灯装置の構成と若干異なるがほぼ同様の構成であり、処理内容は同様である。
【００９２】
図４３において、マイクロコンピュータ６は、インバータ回路３の周波数制御および電源同期回路部１８から送出される電源オン／オフ信号の判定を行う。電源同期回路部１８は、商用電源のオン／オフを検出する回路であり、図２の電力供給時間検出部８と電力供給一時停止検出部９と同等の機能を有する。
ここでは、この実施の形態に係る点灯装置の構成を図２に示す実施の形態１に係る点灯装置の構成と同じものとして説明したが、この実施の形態に係る点灯装置は、その他の実施の形態に係る点灯装置ともほぼ同じ構成であると言える。
【００９３】
（点灯状態表示装置の構成）
図４３に示す点灯状態表示装置は、制御回路用電源１３（表示器電源）、マイクロコンピュータ１４（第２のカウント部、表示制御部）、電源同期回路部１５（第２の電源計測部、第２の期間判定部）、表示部１６、記憶部１７（表示レベル記憶部）を備える。
制御回路用電源１３は、内部のマイクロコンピュータ１４や表示部１６が備える表示素子の電源となる。マイクロコンピュータ１４は、点灯装置の調光レベルの変更（マイクロコンピュータ６という場合がある）と同じアルゴリズムを記憶部１７（不揮発性メモリ）のプログラムに備え、かつそのアルゴリズムに基いて点灯装置の調光レベルの設定状態を検出し、その状態を制御する。電源同期回路部１５は、電源スイッチのオン／オフを検出してマイクロコンピュータ１４に入力する。表示部１６は、表示のための複数のＬＥＤ（表示素子、発光体）から構成される。点灯装置と点灯状態表示装置とは、商用電源から壁に設けられた電源スイッチを介した電源に共通に接続されており、電源スイッチの操作された結果の電源のオン／オフ状態は、点灯装置と点灯状態表示装置とに同じものが印加される。
【００９４】
図４３に示すように、制御回路用電源１３と点灯装置の電源とは、電源に対して並列に接続されている。よって、電源同期回路部１５は、電源に基づく電力供給時間と電力供給一時停止時間とについて、電力供給時間検出部８と電力供給一時停止検出部９と同じ結果を検出する。マイクロコンピュータ１４はマイクロコンピュータ６と同じアルゴリズムのプログラムで動作するので、マイクロコンピュータ１４は、マイクロコンピュータ６が電力供給時間検出部８と電力供給一時停止検出部９とによる検出結果に対して調光レベルを変更する場合に、マイクロコンピュータ６により変更される調光レベルと同じ調光レベル（表示レベル）を求めることができる。表示部１６は、マイクロコンピュータ１４が求めた調光レベル（表示レベル）に対応する出力表示を表示する。なお同じアルゴリズムというのは一例である。同じアルゴリズムでなくとも、マイクロコンピュータ１４は、電源同期回路部１５の検出結果（電源同期回路部１５は、電源のオン／オフに対して電力供給時間検出部８と電力供給一時停止検出部９と同一結果を検出する）に対して、マイクロコンピュータ６と同一の調光レベル（表示レベル）が確定されるプログラムが組み込まれていればよい。記憶部１７は、マイクロコンピュータ１４が調光レベル（表示レベル）を変更するごとに変更後の調光レベル（表示レベル）を上書きして記憶する。表示部１６は、記憶部１７が記憶している調光レベル（表示レベル）に対応する出力表示を表示部１６に表示させる。
【００９５】
（マイクロコンピュータ６による表示制御）
図４４は、点灯状態表示装置のマイクロコンピュータ１４による制御を、点灯装置のマイクロコンピュータ６が行う構成を示した図である。ＬＥＤから構成される表示部１６がマイクロコンピュータ６に接続され、点灯装置の調光レベルを表示する。このように、表示部１６は、マイクロコンピュータ６により調光レベルが変更された場合に、変更後の調光レベルに対応する表示をＬＥＤにより表示する。
【００９６】
（スイッチボックス６００への収納）
図４５は、電源のオン／オフの操作方法として、壁スイッチとした電源スイッチによる操作方法を示している。図４５には照明装置７０１ａ〜７０１ｎを示しているが、いずれも図４３に示す点灯装置を備えている。その他の図における場合も同様である。図４５は、複数の照明装置７０１ａ〜７０１ｎ、電源スイッチ、及び点灯状態表示装置との関係を示す配線図であり、電源スイッチと点灯状態表示装置とがスイッチボックス６００に収納された場合を示している。点灯状態表示装置は図４３の構成であるが、ＬＥＤのみを示して簡略化している。図４５に示すように、複数の照明装置７０１ａ〜７０１ｎは、電源に並列に接続している。そして、点灯状態表示装置は、電源に対して照明装置（整流回路）と並列に接続する。また、点灯状態表示装置は、電源スイッチが格納されるスイッチボックス６００に電源スイッチとともに格納される。図４６は、点灯状態表示装置と電源スイッチを１個用スイッチボックス６００に収納する構造を示す図である。図４６（ａ）は正面図であり、図４６（ｂ）は、Ａ−Ａ断面図である。
【００９７】
（ＳＳＲの採用）
図４７は、電源のオン／オフの操作方法として、マイクロコンピュータ１４により制御された半導体式接点若しくは機械式接点による方法を示す。図４７では、マイクロコンピュータ１４とＳＳＲ５５１（Ｓｏｌｉｄ  Ｓｔａｔｅ  Ｒｅｌａｙ）とが、操作変換部５５０を構成している。ＳＳＲ５５１を用いる場合は、所望の出力に１操作で設定することのできるダイレクトスイッチ５５２ａ，５５２ｂ，５５２ｃにより、電源スイッチ（商用電源）の複雑なオン／オフ操作が、マイクロコンピュータ１４がＳＳＲ５５１を制御することで可能となる。表示素子（ＬＥＤ）の制御は、マイクロコンピュータ１４が行う。即ち、マイクロコンピュータ１４は、ダイレクトスイッチ５５２ａ〜５５２ｃのいずれかが操作されると、この操作を検知して、ＳＳＲ５５１を制御する。このマイクロコンピュータ１４による制御は、ダイレクトスイッチに対応する電源スイッチのオン／オフを作り出す制御である。例えば、ダイレクトスイッチ５５２ｂ（７０％）が操作された場合、マイクロコンピュータ１４は、ダイレクトスイッチ５５２ｂが操作されたことを検知して、調光レベルが７０％になるまで順送り処理が実行されるよう、上記実施の形態における電源スイッチのオン／オフ操作を作り出す。マイクロコンピュータ１４がＳＳＲ５５１を制御することにより作り出された電源スイッチのオン／オフ状態（スイッチング状態）により、電力が点灯装置を備えた照明装置７０１ａ〜７０１ｎに供給される。よって、照明装置７０１ａ〜７０１ｎのそれぞれは、順送り処理により調光レベルを変更される。一方、マイクロコンピュータ１４は、ダイレクトスイッチ５５２ｂ（順送り処理）が操作されると、複数のＬＥＤから構成される表示部１６に調光レベル７０％に対応する表示を表示させる。
【００９８】
図４８は、操作変換部５５０が、ダイレクトスイッチに代えて、赤外線リモコンを用いる場合を示す図である。操作変換部５５０は、ダイレクトスイッチに代えて、赤外線受光部（受信部）５６１を備えた構成である。赤外線リモコン５７０は、ダイレクトスイッチ５５２ａ〜５５２ｃに相当するいずれかの信号（出力対応信号）を送信し、赤外線受光部５６１がこの信号を受信する。その後の動作は、図４７のダイレクトスイッチの場合と同様である。
【００９９】
（ＬＥＤの採用）
点灯状態表示装置の表示部１６、あるいは図４４の表示部１６における表示素子としては、最も安価なＬＥＤ（発光体の一例）が適している。ＬＥＤを用いた場合の表示方法としては、例えば、出力の設定として、高出力（全光）、中間出力、低出力の３段階とする場合を想定する。点灯状態表示装置（あるいは表示部１６）のＬＥＤは、図４６（ａ）の場合を想定する。このとき点灯状態表示装置のＬＥＤは、ＬＥＤ１が高出力（全光）、ＬＥＤ２が中出力、ＬＥＤ３が低出力、ＬＥＤ４を設定確定の表示とする。各設定状態の時にのみ一つのＬＥＤが点灯するように制御することで、表示器電源の効率を向上させることができ、省エネにも有効である。なお、表示部１６の表示素子としては、単体のＬＥＤに限定するものではなく、ＬＣＤ（Ｌｉｑｕｉｄ  Ｃｒｙｓｔａｌ  Ｄｉｓｐｌａｙ）、ＬＥＤのセグメント器などを用いてもかまわない。省エネ効果をこの照明装置を使用している人に知らしめる為には、図４６（ａ）のようにＬＥＤを直線上に配置し、高出力時ＬＥＤ１のみ、中出力時はＬＥＤ１、２を点灯するなど、ＬＥＤを略直線状に配置して棒グラフ状にすることも効果的である。あるいは、放電灯点灯装置が電源オフの場合に加え、全光点灯時はＬＥＤを点灯させないようにしてもよい。
【０１００】
（着脱方式）
図４９は、点灯状態表示装置を表示器用コンセント６１０に対して、着脱可能にした構成を示す図である。点灯状態表示装置は図４３の構成であるが、ＬＥＤのみを示して簡略化している。壁、天井または照明装置に表示器用コンセント６１０を設ける。この表示器用コンセント６１０に、点灯状態表示装置に設けた表示器用プラグ６２０を接続する。これにより、点灯状態表示装置を着脱可能とした。点灯状態表示装置は、電源に対して照明装置７０１ａ〜７０１ｎ（放電灯点灯装置）と並列に接続する表示器用コンセント６１０に対して接続する、表示器用プラグ６２０を備える。点灯状態表示装置の電源同期回路部１５は、表示器用コンセント６１０に接続された表示器用プラグ６２０を介して、電源同期回路部１８と同じ結果を検出する。マイクロコンピュータ１４は、マイクロコンピュータ６が電源同期回路部１８の検出結果に基づき新たな設定として確定する設定値と同じ値を、電源同期回路部１５の検出結果に基づき設定値（第２の新たな設定値）として確定し、確定された設定値（第２の新たな設定値）に対応する出力表示を表示部１６に表示させる。例えば、点灯状態表示装置が、スペースの都合上、図４６に示したようなスイッチボックス６００に収められない場合、本方式をとることにより、出力設定時のみ点灯状態表示装置を表示器用コンセント６１０に接続し、設定後は点灯状態表示装置を取り外すことができる。また、点灯状態表示装置を着脱式にしたことにより、１個の点灯状態表示装置で複数の照明装置を設定することが可能となり、省資源、省エネとなる。
【０１０１】
（電源端子台６６０の採用）
図５０は、点灯状態表示装置を天井埋め込み構造にした図である。また、図５１は、点灯状態表示装置の構成を示す図である。図５１の点灯状態表示装置は、図４３の点灯状態表示装置に対して、ダイオードブリッジの入力側に電源端子台６６０を備えている。点灯状態表示装置は、天井取り付け構造とされ、送り配線を可能とする電源端子台６６０を備える。図５０の配線６５１〜６５４は、図５１の配線６５１〜６５４に同じである。点灯状態表示装置は、照明装置７０１ａ〜７０１ｎの前段において電流を入力するととも、入力した電流を照明装置（点灯装置）に分配する電源端子台６６０を備える。電源同期回路部１５は、電源端子台６６０を介して、電力供給時間検出部８と電力供給一時停止検出部９と同じ結果を検出する。マイクロコンピュータ１４は、マイクロコンピュータ６が電源同期回路部１８の検出結果に基づき変更する調光レベルと同じ調光レベルを、電源同期回路部１５の検出結果に基づき調光レベル（表示レベル）として求め、求めた調光レベル（表示レベル）に対応する出力表示を表示部１６に表示させる。
【０１０２】
電源端子台６６０を備えることにより、例えば、スイッチボックス６００にスペース上の理由で点灯状態表示装置が収められない場合、または元々片切スイッチのため１線しか引き込まれてなく２線を引き込むために配線工事が必要な場合などに本方式は有効である。本方式は、天井埋め込み方式のため、天井裏に設置されている照明器具（照明装置）に接続される配線を切断し、その切断した配線を点灯状態表示装置の電源端子台６６０に接続するのみで使用できるため、面倒な配線工事を必要としない。
【０１０３】
なお、上記実施の形態において、「〜部」として説明したものは、「〜回路」、「〜装置」「〜ステップ」、「〜処理」等であってもよい。
【図面の簡単な説明】
【０１０４】
【図１】照明システムの全体図。
【図２】実施の形態１に係る点灯装置の内部構成図。
【図３】実施の形態１に係る点灯装置の動作の概略を示すフローチャート。
【図４】実施の形態１に係る商用電源オン時の点灯装置の動作を示すフローチャート。
【図５】実施の形態１に係る商用電源オフ時の点灯装置の動作を示すフローチャート。
【図６】順送り処理における調光レベル変更の説明図。
【図７】実施の形態２に係る点灯装置の内部構成図。
【図８】実施の形態２に係る商用電源オン時の点灯装置の動作を示すフローチャート。
【図９】実施の形態２に係る商用電源オフ時の点灯装置の動作を示すフローチャート。
【図１０】商用電源の有無の検出を行う他の構成を示す点灯装置の内部構成図。
【図１１】商用電源の停止期間の計測を行う他の構成を示す図（実施の形態１に対応）。
【図１２】商用電源の停止期間の計測を行う他の構成を示す図（実施の形態１に対応）。
【図１３】図１１と図１２とに示す構成の動作チャート図。
【図１４】商用電源の停止期間の計測を行う他の構成を示す図（実施の形態２に対応）。
【図１５】図１１と図１２とに示す点灯装置の電荷充電部１２をマイクロコンピュータ６により制御する構成とした点灯装置の内部構成図。
【図１６】図１５に示す構成の動作チャート図。
【図１７】図１５に示す点灯装置の電荷充電部１２の構成を変更した点灯装置の内部構成図。
【図１８】図１７に示す構成の動作チャート図。
【図１９】図１５に示す構成のマイクロコンピュータ６が電源供給を受ける箇所を変更した構成を示す図。
【図２０】図１５に示す構成に商用電源有無検出回路を加えた構成を示す図。
【図２１】実施の形態１に係る点灯装置に初期点灯処理を追加した商用電源オン時の点灯装置の動作を示すフローチャート。
【図２２】実施の形態２に係る点灯装置に商用電源オン時の点灯装置の動作を示すフローチャート。
【図２３】順送り処理が行われた場合の出力変化を示す図。
【図２４】順送り処理が行われた場合の出力変化を示す図。
【図２５】順送り処理が行われた場合の出力変化を示す図。
【図２６】順送り処理が行われた場合の出力変化を示す図。
【図２７】順送り処理が行われた場合のブザー回路２７の動作を示す図。
【図２８】順送り処理が行われた場合のブザー回路２７の動作を示す図。
【図２９】ブザー回路２７を備える点灯装置の内部構成図。
【図３０】初期点灯処理が行われた場合の出力変化を示す図。
【図３１】初期点灯処理が行われた場合のブザー回路２７の動作を示す図。
【図３２】一度の変更操作で任意の明るさを設定する点灯装置の商用電源オン時の点灯装置の動作を示すフローチャート（実施の形態１に対応）。
【図３３】出力設定処理での放電灯の調光レベルの変化を示す図。
【図３４】出力設定処理の動作を示すフローチャート。
【図３５】一度の変更操作で任意の明るさを設定する点灯装置の商用電源オン時の点灯装置の動作を示すフローチャート（実施の形態２に対応）。
【図３６】出力設定処理における入力と設定される調光レベルとの関係を示す図。
【図３７】出力設定処理における同期方法を示す図。
【図３８】実施の形態８に係る点灯装置の内部構成図。
【図３９】順送り処理における調光レベル変更の説明図。
【図４０】第１のモードと第２のモードとの調光レベルの値を示す図。
【図４１】第３のモードの調光レベルの値を示す図。
【図４２】実施の形態８に係る点灯装置の内部構成図の他の例を示す図。
【図４３】実施の形態９に係る点灯装置と点灯状態表示装置との内部構成図。
【図４４】実施の形態９に係る点灯装置の構成を示す図。
【図４５】実施の形態９に係るスイッチボックスに収納された点灯状態表示装置を示す図。
【図４６】実施の形態９に係るスイッチボックスの状態を示す図。
【図４７】実施の形態９に係る点灯状態表示装置の構成を示す図。
【図４８】実施の形態９に係るリモコン制御ユニットとして実現される点灯状態表示装置の構成を示す図。
【図４９】実施の形態９における表示器用プラグを備えた点灯状態表示装置を示す図。
【図５０】実施の形態９における電源端子台を持つ点灯状態表示装置を説明する図。
【図５１】実施の形態９における電源端子台を持つ点灯状態表示装置の構成図。
【符号の説明】
【０１０５】
１  電源整流回路、２  アクティブフィルタ回路、３  インバータ回路、４  負荷回路、５  ドライブ回路、６，１４  マイクロコンピュータ、７  商用電源検出回路、８  電力供給時間検出部、９  電力供給一時停止検出部、１０，１７  記憶部、１１  制御回路用電源、１２  電荷充電部、１３  表示器電源、１５，１８  電源同期回路部、１６  表示部、１９  ランプ検出回路、２０  照明器具、７０１ａ〜７０１ｎ  照明装置、２１  器具本体、２２  反射板、２３  放電灯、２４  スイッチボックス、２５  第１の電源スイッチ、２６  第２の電源スイッチ、２７  ブザー回路、５５０  操作変換部、５５１  ＳＳＲ、６００  スイッチボックス、６１０  表示器用コンセント、６２０  表示器用プラグ、６６０  電源端子台。
【図１】
0005231030.tif 000002
【図２】
0005231030.tif 000003
【図３】
0005231030.tif 000004
【図４】
0005231030.tif 000005
【図５】
0005231030.tif 000006
【図６】
0005231030.tif 000007
【図７】
0005231030.tif 000008
【図８】
0005231030.tif 000009
【図９】
0005231030.tif 000010
【図１０】
0005231030.tif 000011
【図１１】
0005231030.tif 000012
【図１２】
0005231030.tif 000013
【図１３】
0005231030.tif 000014
【図１４】
0005231030.tif 000015
【図１５】
0005231030.tif 000016
【図１６】
0005231030.tif 000017
【図１７】
0005231030.tif 000018
【図１８】
0005231030.tif 000019
【図１９】
0005231030.tif 000020
【図２０】
0005231030.tif 000021
【図２１】
0005231030.tif 000022
【図２２】
0005231030.tif 000023
【図２３】
0005231030.tif 000024
【図２４】
0005231030.tif 000025
【図２５】
0005231030.tif 000026
【図２６】
0005231030.tif 000027
【図２７】
0005231030.tif 000028
【図２８】
0005231030.tif 000029
【図２９】
0005231030.tif 000030
【図３０】
0005231030.tif 000031
【図３１】
0005231030.tif 000032
【図３２】
0005231030.tif 000033
【図３３】
0005231030.tif 000034
【図３４】
0005231030.tif 000035
【図３５】
0005231030.tif 000036
【図３６】
0005231030.tif 000037
【図３７】
0005231030.tif 000038
【図３８】
0005231030.tif 000039
【図３９】
0005231030.tif 000040
【図４０】
0005231030.tif 000041
【図４１】
0005231030.tif 000042
【図４２】
0005231030.tif 000043
【図４３】
0005231030.tif 000044
【図４４】
0005231030.tif 000045
【図４５】
0005231030.tif 000046
【図４６】
0005231030.tif 000047
【図４７】
0005231030.tif 000048
【図４８】
0005231030.tif 000049
【図４９】
0005231030.tif 000050
【図５０】
0005231030.tif 000051
【図５１】
0005231030.tif 000052